(57)【特許請求の範囲】
【請求項１】
空気吹出し口に吹出し空気の風向を上下に偏向する上側上下風向板及び下側上下風向板と、
前記空気吹出し口の上方に位置し、筺体を構成する下パネルとを備え、
前記上側風向板は、第１の面と、前記第１の面によって前記上側風向板の回動軸に連結された第２の面とを有し、
前記下パネルは前記上側風向板の回動軸が配置される溝部を有し、
水平方向付近への送風状態における前記下側上下風向板の角度は、前記第２の面の角度よりも前記第１の面の角度に近く、
下方向への送風状態における前記下側上下風向板の角度は、前記第１の面の角度よりも前記第２の面の角度に近く、
暖房運転時の前記上側風向板の回動範囲で、前記上側風向板の前記回動軸と前記下パネルの前記溝部の隙間が最小となる前記上側風向板の回動位置における暖房時最小間隙が、冷房運転時の前記上側風向板の回動範囲で、前記上側風向板の前記回動軸と前記下パネルの前記溝部の隙間が最小となる前記上側風向板の回動位置における冷房時最小間隙より小さいことを特徴とする空気調和機。
【請求項２】
請求項１の空気調和機において、下方向への送風状態において、前記第１の面は風上方向に凹形状であることを特徴とする空気調和機。
【請求項３】
請求項１の空気調和機において、冷房の最大能力運転時の前記上側風向板の回動位置から、停止時の前記上側風向板を閉じた状態までの前記上側風向板の回動角度が１８〜５１度であることを特徴とする空気調和機。
【請求項４】
請求項１の空気調和機において、前記第１の面の長さが、前記空気吹出し口の吹出し風路の高さの４０〜６０％であることを特徴とする空気調和機。
【発明の詳細な説明】
【技術分野】
【０００１】
本発明は、空気調和機に関するものである。
【背景技術】
【０００２】
空気調和機は、設置した室内の空気を熱交換器に循環させて、加熱、冷却、除湿等で調和空気にし、送風ファンによって室内に送風することで、室内環境を調節する。調和空気を室内機から送風するために、上下方向の風向調節には上下風向板が回動可能に配置され、左右方向の風向調節には吹出し口の略水平方向に角度調節自在な複数の左右風向板が所定間隔で配置される。
【０００３】
前記上下風向板と左右風向の角度を組み合わせて制御することで、風向制御された調和空気が、所定の方向へと送風される。中でも、上下風向板は冷房時はやや下向きに、暖房時は下向きに空気を送り出し、室内を効果的に冷暖房するのに必須のものである。この時、空気の吹出し口から直接、空気の吸込み口に向かう気流が生じるのはやむを得ず、この気流が多くなると、いわゆるショートサーキットとなって、空調の制御を撹乱する。
【０００４】
暖房運転時には、吹出した暖かい空気が自然対流で上昇しやすいので、これが助長され、特に、暖房運転の開始時には室温と吹出し空気の温度差が大きく、自然対流の影響も大きくなるので、この自然対流による上昇気流が生じ易く、暖かい吹出し空気が床面まで届き難く、足元の暖房効果を大きく損なう結果となる。このため、この上昇する気流を極力少なくする工夫が必要となる。
【０００５】
空気調和機には、低騒音で、吹出した風を一様な流れに乗せて空調空間の遠方まで届けるために、回転軸方向にほぼ一様な風速が得られる貫流ファンが採用されることが多いが、特にこの場合、貫流ファンが作り出す循環渦の流線に沿って空気が流れるので、空気の吹出し口から空気の吸込み口に向かう気流が生じやすく、上下風向板を下向きにしても、上側風向板の支柱により形成される、風路と上側風向板の間の大きな隙間を通って空気が流れ、下向きの気流の生成が効果的に行われない。これらの諸課題に部分的に対処するため、種々の工夫がなされている。この種の従来技術として、特許第４６１８３６６号公報、特開２００７−０９３０９２号公報が知られている。
【０００６】
特許文献１は、冷房運転中や暖房運転中の水平フラップのスイング動作において、吹出し空気流の拡散を抑制しつつ吹出し方向を上下にスイングできる空気調和機が開示されている。すなわち、吹出し通路の上側に回動自在に支持され、下面が吹出し通路上側の一部を形成するディフューザと、上記吹出し通路の上記ディフューザの下側に回動自在に支持された水平フラップとを備え、上記ディフューザと上記水平フラップとが上下動を繰り返すスイング動作を行うとき、上記ディフューザが上記水平フラップと同時にスイング動作する領域を有すると共に、上記ディフューザと上記水平フラップとが同時にスイング動作する領域において、上記ディフューザが上方に回動しているときは上記水平フラップが上方に回動する一方、上記ディフューザが下方に回動しているときは上記水平フラップが下方に回動するものである。
【０００７】
特許文献２は、風量の減少を極力抑えて上下方向の風向を効果的に偏向できる空気調和機が開示されている。すなわち、吸込み口と吹出し口とを結ぶ空気通路に送風ファンを設け、吹出し口を開閉し且つ上下方向の風向を偏向する上下風向板７及びディフューザ１２を回動自在に備え、上下風向板７の内側に収容される補助上下風向板９を補助支軸部１０により回動自在に軸支してなる空気調和機において、補助支軸部１０が、吹出し口を構成する送風路に設けた支軸部の下流側に設けられている。
【先行技術文献】
【特許文献】
【０００８】
【特許文献１】特許第４６１８３６６号公報
【特許文献２】特開２００７−０９３０９２号公報
【発明の概要】
【発明が解決しようとする課題】
【０００９】
特許文献１では風向板と筐体との間の隙間を塞ぐディフューザを使用して、吹出し空気流の拡散を抑制しつつ吹出し方向を上下にスイングできるようにしているが、吹出し通路の上側に回動自在に支持されたディフューザの気流の流れ方向の長さ寸法が、このディフューザの下側に回動自在に支持された水平フラップの気流の流れ方向の長さ寸法よりも極端に短い。このため空気調和環境によっては、水平方向に吹出す気流が吸込み口に吸込まれてしまうショートサーキット現象を生じてしまい、充分な空調能力を発揮できない虞がある。また、ディフューザの気流の流れ方向の長さ寸法が短いことから、暖房時に下方向（床面方向）に吹出す気流の流れに充分な指向性が与えられず、床面に届かずに上昇してしまい床面付近を快適に温められない、若しくは強風にする必要が生じて運転騒音が大きくなる等の虞がある。
【００１０】
特許文献２では上下風向板７と筐体との間の隙間を防ぐため、補助上下風向板９を使用しているが、暖房時に下方向（床面方向）に吹出す送風の気流の流れが二つの気流に分散する構造のため吐出流速が遅くなってしまい、床面に届かずに上昇してしまう虞がある。これによって、床面付近を快適に温められない、若しくは送風を強風にする必要が生じて運転騒音が大きくなる等の虞がある。更には、補助上下風向板９が短いため、水平方向に吹出す気流が吸込み口に吸込まれてしまうショートサーキット現象を生じてしまい、充分な空調能力を発揮できない虞がある。
【００１１】
本発明は、水平方向及び下方向への送風のいずれにおいても送風の気流の指向性または送風性能を充分確保して、空調能力を充分発揮できる空気調和機を提供することにある。
【課題を解決するための手段】
【００１２】
本発明が解決しようとする課題は、空気吹出し口に吹出し空気の風向を上下に偏向する上側上下風向板及び下側上下風向板と、前記空気吹出し口の上方に位置し、筺体を構成する下パネルとを備え、前記上側風向板は、第１の面と、前記第１の面によって前記上側風向板の回動軸に連結された第２の面とを有し、前記下パネルは前記上側風向板の回動軸が配置される溝部を有し、水平方向付近への送風状態における前記下側上下風向板の角度は、前記第２の面の角度よりも前記第１の面の角度に近く、下方向への送風状態における前記下側上下風向板の角度は、前記第１の面の角度よりも前記第２の面の角度に近く、暖房運転時の前記上側風向板の回動範囲で、前記上側風向板の前記回動軸と前記下パネルの前記溝部の隙間が最小となる前記上側風向板の回動位置における暖房時最小間隙が、冷房運転時の前記上側風向板の回動範囲で、前記上側風向板の前記回動軸と前記下パネルの前記溝部の隙間が最小となる前記上側風向板の回動位置における冷房時最小間隙より小さいことにより達成される。
【００１３】
尚、上記延長面を形成する面の気流の下流側の端部から上方向にくの字状に折れ曲がるように形成された面が室内機の前面下部の前方を覆うように形成されることにより、室内機の外観を向上することができる。また、上記上側風向板のくの字状に折れ曲がった部分角度が１１４から１５６度の範囲であると、水平方向および下方向への送風性能上好ましい。
【００１４】
請求項２に記載の空気調和機は請求項１の空気調和機において、下方向への送風状態において、前記第１の面は風上方向に凹形状である。
【００１６】
請求項４に記載の空気調和機は請求項１の空気調和機において、冷房の最大能力運転時の前記上側風向板の回動位置から、停止時の上側風向板を閉じた状態までの該上側風向板の回動角度が１８から５１度であるものである。
【００１７】
請求項５に記載の空気調和機は請求項１の空気調和機において、前記第１の面の長さが、前記空気吹出し口の吹出し風路の高さの４０〜６０％であるものである。
【発明の効果】
【００２２】
請求項１に記載の発明によれば、水平方向及び下方向への送風のいずれにおいても送風の気流の指向性または送風性能を充分確保して、空調能力を充分発揮できる空気調和機を提供することができる。
【００２４】
請求項３によれば、暖房時のショートサーキットが抑制され、吹出し空気を床面近くまで届けることができる。
【００２５】
請求項４によれば、吹出し口周りを適正な構成にして、尚且つ、停止時には室内機の外観を凹凸の少ない滑らかな形状にし、人センサーを上側風向板で隠して室内の穏やかな雰囲気を乱さない。
【００２６】
請求項５によれば、暖房運転開始時に吹出し空気が床面まで届いて、優れた暖房効果を発揮する。
【００２７】
請求項６によれば、暖房時にショートサーキットを防ぎ、吹出し空気を効果的に下向きにする。
【図面の簡単な説明】
【００３１】
【図１】実施例１の空気調和機の構成図。
【図２】同空気調和機の室内機の正面図。
【図３】同室内機の側断面図。
【図４】同室内機の運転停止時の簡略化した断面図。
【図５】同室内機の運転停止時の簡略化した拡大断面図。
【図６】同室内機の運転停止時の斜視図。
【図７】同室内機の主に冷房運転時の斜視図。
【図８】同室内機の主に暖房運転時の斜視図。
【図９】同室内機の上側風向板回動部の拡大図。
【図１０】同室内機の上側風向板回動部の拡大図。
【図１１】同室内機の主に冷房・送風運転時の吹出し口の断面図。
【図１２】同室内機の主に送風運転時の上側風向板回動部の拡大図。
【図１３】実施例２の空気調和機の室内機の吹出し口の断面図。
【図１４】同室内機の主に冷房・送風運転時の上側風向板の回動部の拡大図。
【図１５】同上側風向板の斜視図。
【図１６】同上側風向板の風向片の斜視図。
【図１７】同上側風向板の風向片の回動軸部詳細図。
【図１８】室内情報センサー類の配置説明図。
【図１９】室内情報センサー類の検知範囲説明図。
【図２０】上側風向板関係部品の水平面に対する角度説明図。
【図２１】上側風向板関係部品の軸角基準線に対する角度説明図。
【図２２】冷房時の吹出し口周辺の風の流れ。
【図２３】暖房運転開始時の吹出し口周辺の風の流れ。
【図２４】冷房・送風時の吹出し口周辺の風の流れ。
【図２５】暖房時の吹出し口周辺の風の流れ。
【図２６】実施例３の空気調和機の室内機の吹出し口の断面図。
【図２７】同室内機の主に冷房運転時の上側風向板の回動部の拡大図。
【図２８】同室内機の他の運転状態の時の上側風向板の回動部の拡大図。
【図２９】同室内機の他の運転状態の時の上側風向板の回動部の拡大図。
【図３０】実施例４の空気調和機の室内機の吹出し口の断面図。
【図３１】同室内機の主に冷房運転時の上側風向板の回動部の拡大図。
【図３２】同室内機の他の運転状態の時の上側風向板の回動部の拡大図。
【図３３】同室内機の他の運転状態の時の上側風向板の回動部の拡大図。
【図３４】実施例５の空気調和機の室内機の吹出し口の断面図。
【図３５】同室内機の主に冷房運転時の上側風向板の回動部の拡大図。
【図３６】同室内機の他の運転状態の時の上側風向板の回動部の拡大図。
【図３７】同室内機の他の運転状態の時の上側風向板の回動部の拡大図。
【図３８】実施例６の空気調和機の室内機の吹出し口の断面図。
【図３９】同室内機の主に冷房・送風運転時の上側風向板の回動部の拡大図。
【図４０】同室内機の他の運転状態の時の上側風向板の回動部の拡大図。
【図４１】同室内機の他の運転状態の時の上側風向板の回動部の拡大図。
【発明を実施するための形態】
【００３２】
以下、図面を用いて本実施例について説明する。
【実施例１】
【００３３】
以下、本発明を横長の吹出し口を持った壁掛型の空気調和機を実施例にして、説明する。
【００３４】
先ず、その全体構成について図１〜図３を用いて説明する。図１は実施例１の空気調和機の構成図である。図２は空気調和機の室内機の正面図である。図３は室内機の側断面図である。
【００３５】
なお、実施例では横長の吹出し口を持つ壁掛型の空気調和機について説明するが、本発明はこれに限定されるものではなく、略長方形の吹出し風路を持つ天井埋込形や壁埋込形、あるいはウインド形の空気調和機にも容易に適用でき、同様の効果を発揮できることは勿論のことである。
【００３６】
（本実施例の構成の概要）
空気吹出し口に吹出し空気の風向を上下に偏向する複数の上下風向板を有する空気調和機において、前記複数の上下風向板のうちの上側風向板が、吹出し風路の上面との間に気流が流れないように上下方向に回動自在に備えられ且つ、水平方向付近への送風状態において吹出し風路の上面の延長面を形成する面と、この延長面を形成する面の気流の下流側の端部から上方向にくの字状に折れ曲がるように形成された面とから構成される。
【００３７】
そして、水平方向付近への送風状態において、上記くの字状に折れ曲がった部分までの面と下側風向板の気流の下流側の端部までの面との間に流路を形成し、下方向への送風状態において前記吹出し風路の上面の延長面を形成する面及びこの面の端部からくの字状に折れ曲がるように形成された面と、下側風向板の気流の下流側の端部までの面との間に流路を形成する構成にした。
【００３８】
上記延長面を形成する面の気流の下流側の端部から上方向にくの字状に折れ曲がるように形成された面が室内機の前面下部の前方を覆うように形成している。これにより、室内機の外観を向上することができる。また、上記上側風向板のくの字状に折れ曲がった部分角度が１１４から１５６度の範囲であると、水平方向および下方向への送風性能の両方が好ましい状態となる。
【００３９】
上記構成にすることにより、上側風向板と下側風向板の長さ寸法が、水平方向状態及び下方向状態のいずれにおいても一方が極端に短くならず、略同じ長さになるようにできる。この結果、上側風向板と下側風向板との間の流路を、水平方向状態及び下方向状態のいずれにおいても長くすることができる。これによって、水平方向状態及び下方向状態のいずれにおいてもショートサーキットを抑制できる、若しくは水平方向および下方向（床面方向）への送風性能を充分確保して、空調能力を充分発揮できるようになる。
【００４０】
（本実施例の詳細な構成）
空気調和機１は、室内機２と室外機６を接続配管８でつなぎ、室内を空気調和する。室内機２は、筐体ベース２１にユニット枠２２を取付け、ユニット枠２２の周りを化粧枠２３、下パネル２４、露受皿３５で覆い、前方に化粧パネル２５をユニット枠２２に着脱可能に取付けて構成される。また、運転中、化粧パネル２５の前方の吸込みパネル２５１は、図３のように、下部を支点にして回動自在である。
【００４１】
室内機２の上方には室内空気を吸込む吸込み口２７が設けられ、室内機２の下方には調和空気を室内機２から室内に吹出す吹出し口２８が設けられる。吹出し口２８は、前ケーシング２８０ａ、後ケーシング２８０ｂに取付けられた上側風向板２９、下側風向板２９′の回動により、開閉自在である。これらの上側風向板２９、下側風向板２９′は、室内機２から吹出す気流を上下に風向制御して室内に送風する。
【００４２】
室内機２の化粧パネル２５と上面の吸込み口２７の内方には、フィルター２３１、２３１′が設置され、ユニット枠２２に着脱自在に取付けられる。フィルター２３１、２３１′の内方には、パイプとフィンで構成された熱交換器３３が配置される。熱交換器３３は、水平方向の長さが略等しい送風ファン３１１を囲むように配置される。送風ファン３１１は、前ケーシング２８０ａと後ケーシング２８０ｂの間に配置され、送風ファン３１１の回転軸は送風モータに連結される。
【００４３】
送風ファン３１１と吹出し口２８の間に、吹出し風路２８０が前ケーシング２８０ａ、後ケーシング２８０ｂによって形成され、吹出し風路２８０内に、左右方向に所定間隔で左右風向板２８５が配置される。
【００４４】
このように、室内機２の外筐は、筐体ベース２１、ユニット枠２２、化粧枠２３、下パネル２４等からなる筐体２０によって形成され、筐体２０に化粧パネル２５、送風ファン３１１、フィルター２３１、２３１′、熱交換器３３、露受皿３５、左右風向板２８５、吸込みパネル２５１、上側風向板２９、下側風向板２９′等の基本的な構造体が取付けられ室内機２を構成する。
【００４５】
化粧パネル２５の奥には、電気部品ユニットの電装部が設けられる。また、電気部品ユニットの制御基板には、マイコンが設けられており、リモコン５から送られてきた信号を受光部を介して受信し、信号に応じて空気調和機を運転制御する。この時、運転モードに合わせて表示部のランプを点灯および消灯させることで、運転モードを確認できる。
【００４６】
運転が開始されると、化粧パネル２５の吸込みパネル２５１は、下部を支点にして前方へ回動して所定角度傾き、室内機２の前面上部が開口する。上側風向板２９、下側風向板２９′は、マイコンによって制御されて回動し、室内機２の吹出し口２８を開閉する。室内機２が、リモコン５からの運転信号を受信すると、室外機６も作動する。室外機６から送られた冷媒は、接続配管８を介して熱交換器３３を循環する。送風ファン３１１に連結する送風モータは、マイコン制御により、運転状態に合わせて駆動される。
【００４７】
次に、空気の吸込みから吹出しまでの流れについて説明する。送風ファン３１１が図３において右回りに回転すると、上面の上側吸込み口２７と化粧パネル２５の開口部（前側吸込み口２７′）から室内空気が吸込まれる。そして、吸込まれた気流はフィルター２３１、２３１′を通過する際、フィルター２３１、２３１′の網目により埃等が取り除かれ、室内機２の内部に流れる。
【００４８】
気流はさらに熱交換器３３へ流入し、熱交換された後、送風ファン３１１へ吸込まれる。送風ファン３１１からの吹出した気流は、ケーシング２８０ａ、２８０ｂの下流に設けられた左右風向板２８５、上下風向板２９、２９′を通過して、風向制御されて室内に送風される。一方、運転を停止する時は、送風ファン３１１の駆動を停止しし、化粧パネル２５の吸込みパネル２５１を回動させて図３に点線で示すように前面上部の開口を閉ざし、上下風向板２９、２９′を回動させて、図３に点線で示すように吹出し口２８を閉ざす。
【００４９】
また、熱交換器３３の下方には、露受皿３５が配置されており、冷房運転時や除湿運転時に熱交換器３３に発生する凝縮水を受け止める。露受皿３３に集められた凝縮水は、ドレン配管３７を通して室外に排出される。このように、気流の流路が形成され、送風ファン３１１を駆動させることで、室内空気が吸込み口２７、２７′から吸込まれ、フィルター２３１、２３１′を通過して、熱交換器３３において熱交換された後、吹出し口２８から室内に吹出しされる。
【００５０】
次に、吹出し口周辺部品の配置に関係する語句の定義について図４、図５を用いて説明する。図４は室内機の運転停止時の簡略化した断面図である。図５は室内機の運転停止時の簡略化した拡大断面図である。
【００５１】
実施例の空気調和機では吹出し口周辺に前ケーシング２８０ａ、上側風向板２９、下側風向板２９′、センサー類３９２、３９３、センサー取付基板３９０などが配置されている。本発明を詳細に説明するに当たって、これらの部品の取付に関する語句を定義しておく。前ケーシング２８０ａは吹出し風路を構成し、貫流ファン３１１からの吹出し空気を誘導する役目を果たし、図４にαで示す前ケーシング角は吹出し空気の吹出し方向に大きな影響を与える。
【００５２】
下側風向板２９′を閉じたときの下側風向板の傾斜β（下側風向板２９′の翼型の前縁と後縁を結ぶ線分の傾斜で代表し、吹出し面収納角と言う）は空気調和機の外形と密接に関係し、且つ、吹出し空気の吹出し方向の制御に大きな影響を与える。また、センサー類３９２、３９３の方向λは室内情報を得て、空気調和機を制御するときに、収集した室内情報の適切さに大きく影響する。尚、吹出し面収納角の吹出し面とは、吹出し口の開口端の仮想面を称する。
【００５３】
センサー類３９２、３９３などはセンサー方向λをセンサー取付基板３９０に垂直にして取付けるのが一般的であり、このセンサー取付基板３９０の面をセンサー面ＦＳと言い、その傾斜をセンサー面角γと言う。センサー面角γはセンサー方向λと余角の関係になる。また、空気調和機停止時に上側風向板２９を収納してセンサー類を隠したときの風向面２９１ｄの方向を風向面収納角ιと言う。
【００５４】
風向面２９１ｄの方向は風向面の先端と、後述する上側風向板２９の基準線ＢＬから最高点となる風向面２９１ｄの点Ｐとを結んだ風向面代表直線ＤＬの方向である。また、風向面収納角ιは最小の面積でセンサー類を隠すために、センサー面角γと略等しくするのが良い。
【００５５】
次に、上下方向に風向を偏向する上側風向板の構成について図２、図８（ｂ）、図１０（ｂ）を用いて説明する。図８は室内機の主に暖房運転時の斜視図、（ｂ）はその時の吹出し口の断面図である。図１０は室内機の上側風向板回動部の拡大図、（ａ）は主に送風・弱暖房運転時、（ｂ）は主に強暖房運転時である。
【００５６】
上側風向板２９は風向片２９１と軸カバー２９２、２９３で構成され、その回動軸２９ａは風向片２９１の回動軸部２９１ａに軸カバー２９２、２９３を軸カバー固定ネジ２９８で固定して形成される。また、風向片２９１は回動軸部２９１ａと風向面２９１ｄを遮風面２９１ｅでつないだ形（くの字状）になっている。
【００５７】
この上側風向板２９の回動軸２９ａを筐体２０を構成する下パネル２４の溝部２４ｃの両端に設けられる支持部２４ａ、２４ｂで支持する。支持部２４ａには支軸２４ｅが、支持部２４ｂには駆動モータ２８７が設けられる。上側風向板２９はこれらの間に懸架されて筐体２０に取付けられ、駆動モータ２８７の駆動力を伝達部材２９６を介して上側風向板２９の回動軸２９ａで受け、回動される。
【００５８】
下パネル２４の溝部２４ｃは上側風向板２９を筐体２０に取付けたときの回動軸２９ａの軸心の位置を中心とした円筒状の凹面を有し、溝部２４ｃ内で回動軸２９ａが支障なく回動できるようになっている。２９１ｂは回動軸２９ａに形成された軸側間隙形成部であり、回動軸２９ａと溝部２４ｃの円筒状凹面との間隙Ｇｐを小さい値に保持しているものである。
【００５９】
次に、上下方向に風向を偏向する上側風向板の動作について図６〜図１０を用いて説明する。図６は室内機の運転停止時の斜視図、（ｂ）はその時の吹出し口の断面図である。図７は室内機の主に冷房運転時の斜視図、（ｂ）はその時の吹出し口の断面図である。図９は室内機の上側風向板回動部の拡大図、（ａ）は停止時、（ｂ）は主に冷房運転時である。
【００６０】
運転停止時は、図６に示すように、吸込みパネル２５１及び上側風向板２９、下側風向板２９′は前側空気吸込み口２７′及び空気吹出し口２８を閉じている。この状態では、空気調和機の室内機２の外観は凹凸の少ない形状になって、室内の雰囲気を乱さず、また、掃除がしやすく、更に、室内機内への塵埃の進入を防いでいる。
【００６１】
次に、溝部での調和空気の流れについて図７〜図１０を用いて説明する。
【００６２】
冷房運転時、上側風向板２９、下側風向板２９′は吹出し空気の風量が最大となるように、上側風向板２９の遮風面２９１ｅと下側風向板２９′を前ケーシング２８０ａとほぼ平行にして、図７（ｂ）の如く回動され、吹出し空気は黒矢印のように流れる。この時、図９（ｂ）に示すように、吹出し空気に誘引されて、上側風向板２９の回動軸２９ａに設けた軸側間隙形成部２９１ｂと下パネル２４の溝部２４ｃの間の間隙Ｇｐを通って、上側風向板２９の上方の室内空気が吹出し風路に流入してくる。
【００６３】
流入した室内空気は吹出し空気と上側風向板２９の間を流れ吹出し空気が直接上側風向板２９に触れるのを妨げる。このため、上側風向板２９は冷やされず、室内温度に近い温度に保たれ、絶対湿度の高い室内空気に触れても、結露が生ずることは無く、室内に結露水が滴下することもない。
【００６４】
上側風向板２９の回動軸２９ａと下パネル２４の溝部２４ｃの間の間隙Ｇｐが狭すぎて、吹出し空気に誘引されて吹出し風路に流入する室内空気の量が少ないと、上側風向板２９を吹出し空気から部分的にしか隔離できず、上側風向板２９の温度が下がり、室内空気の露点温度より下がるとその部に室内空気の水分が結露するが、上側風向板２９の回動軸２９ａと下パネル２４の溝部２４ｃの間の間隙Ｇｐを調整することで、少量の結露に抑制することができ、結露水が室内に滴下するのを防ぐことができる。
【００６５】
また、この時、吹出し空気は前ケーシング２８０ａの空気吹出し口２８に近い部分を流れる空気とほぼ同じ速度と方向で噴流のごとく空気吹出し口２８から吹出し、あまり拡散せずに風向面２９１ｄから離れて、室内に直進してゆく。このため、風向面２９１ｄは吹出し空気によって冷やされる度合いが更に小さく、ほとんど冷やされない。従って、風向面２９１ｄの裏面もほとんど冷やされず、冷却された部分に室内空気が触れて空気中の水分が凝縮して生ずる結露の現象が抑制される。
【００６６】
この場合、室内の湿度が特に高いときには上側風向板２９に結露が多くなるが、このような場合は、上側風向板２９の結露が生じた位置を覆うように断熱材を貼るなどの処置をすることで結露した水滴が室内に落下して周囲を汚す恐れは無くなる。このように誘引される室内空気の量が少ない場合でも、上側風向板２９に貼る断熱材の厚さを薄くできるので、資源の節約になる。
【００６７】
暖房運転時、上側風向板２９、下側風向板２９′は吹出し空気をできるだけ下方に送り、足元を暖かくするように、上側風向板２９の風向面２９１ｄと下側風向板２９′をほぼ平行にして、図８（ｂ）の如く回動され、吹出し空気は黒矢印のように流れる。この時、図１０（ｂ）に示すように、上側風向板２９の風向片２９１を下パネル２４の溝部２４ｃと前ケーシング２８０ａとの交線付近で当接させる如くにする。
【００６８】
これにより、上側風向板２９の回動軸２９ａと下パネル２４の溝部２４ｃの間を通って、風向面２９１ｄ、遮風面２９１ｅの裏面に漏れ出す吹出し空気はほとんどなくなり、吹出し空気を効果的に下向き方向に送ることができる。なお、種々の事情により、上側風向板２９の風向片２９１を下パネル２４の溝部２４ｃと前ケーシング２８０ａとの交線付近で当接させない場合、上側風向板２９の回動軸２９ａと下パネル２４の溝部２４ｃの間を通って、吹出し空気が漏れ出す。
【００６９】
この場合でも、この部分の隙間をできるだけ小さくすることで、漏れ出てくる吹出し空気の量をわずかにでき、暖房効果や足元近くに吹出し空気を送る効果を大きな差は生じさせないで維持できる。
【００７０】
次に、上側風向板２９の別の使用形態について図１１、図１２を用いて説明する。図１１は室内機の主に冷房・送風運転時の吹出し口の断面図、（ｂ）はその時の上側風向板回動部の拡大図である。図１２は室内機の主に送風運転時の上側風向板回動部の拡大図である。
【００７１】
送風運転時など、冷風を伴わない運転のときには、下側風向板２９′を所望の方向に回動させ、図１１（ａ）のように、上側風向板２９の風向面２９１ｄを下側風向板２９′とほぼ平行の位置に回動させると、吹出し空気は上側風向板２９の遮風面２９１ｅで縮流され、上側風向板２９の風向面２９１ｄと下側風向板２９′に挟まれ整流されて平行な流れになって黒矢印のように流れる。
【００７２】
このように、縮流させた後に、平行な流れに整流させることで、吹出し空気は風速が速い平行流となり、より遠方まで到達するようになる。上側風向板２９の風向面２９１ｄと下側風向板２９′が作る平行方向を任意の方向に調整することで、室内の広い範囲に風を送ることができ、一層の節電が求められているおり、冷房に代わって涼感を得る方法として有効性が高い。
【００７３】
この場合、図１１（ｂ）のように、回動軸２９ａと溝部２４ｃの隙間を通って室内空気が前ケーシング２８０ａで形成される吹出し風路２８０に流入してくる。この状態と図１０（ａ）の状態の中間に、図１２のように、漏れ出ようとする吹出し空気と流入しようとする室内空気が拮抗し、回動軸２９ａと溝部２４ｃの間の隙間をほとんど、空気が流れない状態がある。これらの現象についての詳細な説明は図２０〜図２５を用いて後述する。
【００７４】
このように、実施例の空気調和機は、空気吹出し口に吹出し空気の風向を上下に偏向する複数の上下風向板を有し、最上部の上下風向板（上側風向板）を支持する空気調和機本体側の筐体の支持部の間に、該上側風向板の回動軸を収納する溝部が形成され、該回動軸の外面に、回動の動作の間、該回動軸と該溝部との間の間隙を最小に保つ間隙形成部が形成され、該上側風向板の風向面２９１ｄと該回動軸が遮風面２９１ｅで連結されている。
【００７５】
これにより、上側風向板は筐体の溝部に半分埋め込まれたようになり、その間の隙間を通って漏れる空気の量は少なく、前側ケーシングに沿って流れる吹出し空気の殆ど全てが遮風面で遮られて風向面２９１ｄに流れ、使用者の意図した方向に吹出してき、ショートサーキットを効果的に抑えることができる。
【００７６】
また、回動軸と風向面２９１ｄを遮風面２９１ｅで連結したことで、従来の上側風向板の支柱を伴なった支持機構のような、横方向に断続のある構成から、横方向に連続性のある構成になるので、視覚的なノイズを低減でき、空気調和機の使用者に、落ち着いた雰囲気で快適な環境を提供することができる。
【００７７】
風量を最大とするときには、遮風面２９１ｅを前ケーシングの傾斜とほぼ同じ傾斜なるように上側風向板を回動させる。この時、吹出し空気は前ケーシングの空気吹出し口に近い部分を流れる空気とほぼ同じ速度と方向で噴流のごとく空気吹出し口から吹出し、あまり拡散せずに風向面２９１ｄから離れて、室内に直進してゆく。このため、風向面２９１ｄは吹出し空気によって冷やされる度合いが小さく、あまり冷やされない。従って、風向面２９１ｄの裏面もあまり冷やされず、冷却された部分に室内空気が触れて空気中の水分が凝縮して生ずる結露の現象が抑制される。
【００７８】
送風運転時など、冷風を伴わない運転のときには、下側風向板を所望の方向に回動させ、上側風向板の風向面２９１ｄを下側風向板とほぼ平行の位置に回動させると、吹出し空気は上側風向板の遮風面２９１ｅで縮流され、上側風向板の風向面２９１ｄと下側風向板に挟まれ整流されて平行な流れになる。
【００７９】
このように、縮流させた後に、平行な流れに整流させることで、吹出し空気は風速が速い平行流となり、より遠方まで到達するようになる。上側風向板の風向面２９１ｄと下側風向板が作る平行方向を任意の方向に調整することで、室内の広い範囲に風を送ることができ、一層の節電が求められているおり、冷房に代わって涼感を得る方法として有効性が高い。
【００８０】
このように、回動軸と風向面２９１ｄを遮風面２９１ｅで連結したことと、上側風向板の回動軸と筐体の溝部との間を吹出し空気が殆ど流れない隙間にすることで、暖房時など、吹出し空気を下向きにしたい時に、上側風向板より空気吸込み口側を流れてショートサーキットを起こす無駄な流れを大幅にカットできる。
【００８１】
このため、ショートサーキットを効果的に抑制し、視覚的なノイズが小さく、メンテナンスが容易で、室内の雰囲気を乱さない空気調和機を提供することができる。
【００８２】
また、実施例の空気調和機は、冷房運転時に上側風向板の回動軸と下パネルの溝部との隙間から室内空気が前ケーシング２８０ａで形成される吹出し風路２８０に流入するように、上側風向板の傾きを制御する。
【００８３】
これにより、上側風向板が冷たい吹出し空気に直接触れるのが防止され、上側風向板の温度が維持され、上側風向板の結露が抑制され、結露の室内への滴下なども抑制されて、室内を汚す恐れが少なくなる。
【００８４】
このため、結露が少なく、室内を汚す恐れが少ない空気調和機を提供することができる。
【００８５】
また、実施例の空気調和機は、暖房運転時の上側風向板の回動範囲で、上側風向板の回動軸と下パネルの溝部の隙間が最小となる上側風向板の回動位置における暖房時最小間隙が、冷房運転時の上側風向板の回動範囲で、上側風向板の回動軸と下パネルの溝部の隙間が最小となる上側風向板の回動位置における冷房時最小間隙より小さい。
【００８６】
これにより、暖房運転時に、吹出し空気が上側風向板の回動軸と下パネルの溝部の隙間を通って室内に漏れ出る量が減少し、ショートサーキットを抑制し、且つ、漏れ出る吹出し空気の量が少なくなるので、下向きの吹出し空気を効率よく床面近くまで届けることができるようになる。
【００８７】
このため、暖房時のショートサーキットが抑制され、吹出し空気を床面近くまで届けることができる空気調和機を提供することができる。
【００８８】
また、実施例の空気調和機は、空気吹出し口に吹出し空気の風向を上下に偏向する複数の上下風向板を有し、前記上側風向板の回動軸中心と、該回動軸に垂直な面内で回動軸中心から最も遠い上側風向板の下流端とを結ぶ線分を基準線とし、該基準線からの高さが最大となる上側風向板の最高点の位置に該基準線が貼る角が１１４から１５６度の範囲である。
【００８９】
一般に、壁掛け型の空気調和機では暖房の運転開始時に風向をできるだけ下に向けることが求められるため、空気調和機の前面下部に吹出し口が配置され、また、送風機には低騒音で、吹出した風を一様な流れに乗せて空調空間の遠方まで届けるために、回転軸方向にほぼ一様な風速が得られる貫流ファンが採用されることが多い。
【００９０】
この場合、空気調和機の前ケーシング２８０ａで形成される吹出し風路２８０は必然的に斜め下向きに設けられ、吹出し風路２８０を構成するノーズから続く前ケーシング２８０ａの傾斜角は、暖房の観点から考えれば急角度で下向きにするのが良いが、冷房時には若干上向きの風向も必要となることも考慮に入れて、水平に対して２０度前後の傾きにすることが多く、経験的に、１５度から２５度の範囲の角度が用いられている。
【００９１】
これに応じて、吹出し口は空気調和機の底面から前面に掛けた部分に設けられ、吹出し面の傾斜は、暖房時の下吹出しから冷房時の若干上吹出しの風向が可能なように、１５度から２０度前後のすることが多く、経験的に１０度から２５度の範囲の角度が用いられている。
【００９２】
また、近年、人センサーなどを備え、得られた室内の情報を基に、空気調和機を制御することが行われ始めているが、これらのセンサーは室内の居住空間の情報を最大限に取得可能な位置が望ましく、空気調和機の前面下部に設けられることが多く、センサーを向ける角度はセンサーの検知可能角度範囲を考慮して決める必要がある。
【００９３】
この場合、センサーが空気調和機を据付けた壁と対向する反対側の壁の近くにいる人、および、空気調和機に近い位置にいる人の情報も取得できるようにする必要があり、必要に応じてセンサーの個数を増やすなどの方法が採用されている。この時、センサーの方向（感度が最大となる方向）を、空気調和機を側面から見たときに、センサーの方向が床面となす角を４０度前後にすることが多く、経験的に、３０度から５０度の値が用いられている。
【００９４】
実施例の空気調和機では、空気調和機の運転停止時に、上側風向板、下側風向板を最も上に向けてから停止させることで、空気吹出し口や上側風向板の回動軸から始まる遮風面２９１ｅを下側風向板で隠して、室内機の外観を凹凸の少ない滑らかな形状にすることができると共に、室内の居住空間の状態を検知すべく、空気調和機に搭載された人センサーを上側風向板で隠すことで、見られていることへの抵抗感を払拭して室内の穏やかな雰囲気を乱すことが無い。
【００９５】
この場合、人センサーの方向にほぼ垂直となる上側風向板の風向面２９１ｄで人センサーを隠すことができ、無駄な空間を省くことができる。また、人センサーの方向を床面から３０度から５０度の範囲にし、前ケーシングの傾斜角を１５度から２５度の範囲、吹出し面の傾斜を１０度から２５度の範囲にすることができ、適正な吹出し風路２８０、吹出し面（空気吹出し口開口端の仮想面）、人センサーの配置を実現できる。
【００９６】
なお、基準線からの風向面２９１ｄの最大高さの位置に該基準線が貼る角が１１４度未満では人センサーの方向が上を向き過ぎて空気調和機に近い位置にいる人の情報を十分に取得できない恐れが強くなり、室内の制御が適正に行われなくなるなどの障害が生じたり、運転停止で上側風向板を閉じて収納する時に、下側風向板との距離が開きすぎて、無駄なスペースとなり、空間の使用効率が低下する。
【００９７】
また、無駄なスペースを解消しようとすると、吹出し面（空気吹出し口開口端の仮想面）の傾斜が小さくなり、冷房時に若干上向きの風向で室内の広範囲に冷風を届けることが困難になり、更には、通常冷房時の上側風向板の位置と運転停止時の上側風向板の収納位置とが近づき過ぎて、冷房運転時に涼しい吹出し空気を室内の遠方に送る風向調整ができなくなるなど、冷房時の若干上向きの風向制御が困難になる恐れが強くなる。
【００９８】
また、上側風向板の風向面２９１ｄと下側風向板をほぼ平行にして、吹出し空気を縮流、増速して室内の遠方まで送るときに、吹出し空気の流れが縮流から平行流に変化する部分で流れの方向が変ることから、この部の方向変化が大きく（貼る角が小さく）なると渦が生じやすくなり、騒音の発生や、風量の減少などが起こり、上質で効果的な空気調和を行うことが困難になる。
【００９９】
これらを解消するために、上側風向板、人センサー取付け部周りに余分な空間が必要となって空間の使用効率が低下して、容積の拡大を招き、資源の節約に反し、流通のコストなどのアップに繋がる。
【０１００】
他方、該貼る角が１５６度を超えると、逆に、人センサーの方向が下を向き過ぎて空気調和機から遠い位置にいる人の情報を十分に取得できない恐れが強くなり、前述と同様に、室内の制御が適正に行われなくなるなどの障害が生じたり、運転停止で上側風向板を閉じて収納する時に、下側風向板との距離が近すぎて、空気調和機の下側風向板から上側風向板に掛けての外観をスムーズに連続させることが困難になり、外観を損ねる。
【０１０１】
また、外観をスムーズに連続させようとすると吹出し面（空気吹出し口開口端の仮想面）の傾斜が大きくなり、暖房の運転開始時に風向を十分下向きにすることが困難になり、更に、空気調和機の運転時の上側風向板の位置からこれを収納する位置に収めるまでの角度が大きくなり、上側風向板と干渉しない領域を広く取る必要が出て、空間の利用効率が低下する。更にまた、上側風向板が平板に近づくため剛性が減少し、上側風向板を略水平に保持したときの変形が大きくなり、高級感が失われ、製品のイメージダウンを招き、外観の品質が低下する。
【０１０２】
これらを解消するためには、該基準線が貼る角が小さすぎる場合と同様に、上側風向板、人センサー取付け部周りに余分な空間が必要となって空間の使用効率が低下して、容積の拡大を招き、資源の節約に反し、流通のコストなどのアップに繋がる。
【０１０３】
このため、吹出し口周りを適正な構成にして、尚且つ、停止時には室内機の外観を凹凸の少ない滑らかな形状にし、人センサーを上側風向板で隠して室内の穏やかな雰囲気を乱さない空気調和機を提供することができる。
【０１０４】
また、実施例の空気調和機は、前記遮風面２９１ｅの長さとなる前記回動軸中心と前記最高点を結ぶ線の長さが、該回動軸に垂直な面内の吹出し風路の高さの４０から６０％である。
【０１０５】
これにより、暖房運転時に上側風向板を最大限下向きに回動し、前ケーシングの傾斜方向に吹出しされてくる吹出し空気の半分近くを遮風面２９１ｅで遮り、下方に転回させ、遮風面２９１ｅに続く風向面２９１ｄと下側風向板とで吹出し空気を縮流し、増速して下向きに送り出すことができる。
【０１０６】
この場合、該遮風面２９１ｅの長さが該吹出し風路の高さの４０％未満では吹出し空気の下方への転回が不十分となり、また、遮風面２９１ｅに続く風向面２９１ｄと下側風向板とによる縮流や増速も不十分となって、暖房運転開始時の効果的な暖房が困難になる。
【０１０７】
他方、遮風面２９１ｅの長さが該吹出し風路の高さの６０％を超えると、吹出し空気の下方への転回は支障なく行われるが、続いて行われる風向面２９１ｄと下側風向板とによる縮流が過度になり、吹出し空気の量が減少し、吹出し空気が床面まで届かなくなる恐れが増してくる。
【０１０８】
このため、暖房運転開始時に吹出し空気が床面まで届いて、優れた暖房効果を発揮する空気調和機を提供することができる。
【０１０９】
また、実施例の空気調和機は、冷房の最大能力運転時の前記上側風向板の回動位置から、停止時の上側風向板を閉じた状態までの該上側風向板の回動角度が１８から５１度である。
【０１１０】
これにより、請求項１の空気調和機と同様に、空気調和機の運転停止時に、上側風向板、下側風向板を最も上に向けてから停止させることで、空気吹出し口や上側風向板の回動軸から始まる遮風面２９１ｅを下側風向板で隠して、室内機の外観を凹凸の少ない滑らかな形状にすることができると共に、室内の居住空間の状態を検知すべく、空気調和機に搭載された人センサーを上側風向板で隠すことで、見られていることへの抵抗感を払拭して室内の穏やかな雰囲気を乱すことが無い。
【０１１１】
この場合も、請求項２の空気調和機と同様に、適正な吹出し風路、吹出し面（空気吹出し口開口端の仮想面）、人センサーの配置を実現できる。
【０１１２】
なお、該回動角が５１度を超えると、空気調和機の運転時の上側風向板の位置からこれを収納する位置に収めるまでの角度が大きくなり、上側風向板と干渉しない領域を広く取る必要が出て、空間の利用効率が低下し、また、運転停止で上側風向板を閉じて収納する時に、下側風向板との距離が近すぎて、空気調和機の下側風向板から上側風向板に掛けての外観をスムーズに連続させることが困難になり、外観を損ねる。更に、外観をスムーズに連続させようとすると吹出し面（空気吹出し口開口端の仮想面）の傾斜が大きくなり、暖房の運転開始時に風向を十分下向きにすることが困難になる。
【０１１３】
また、冷房の最大能力運転時には圧縮機を冷房の最高回転数で運転すると共に、送風量を最大にすべく、風向板の抵抗が最も少ない状態にする。この状態は、吹出し風路から出た吹出し空気をそのままの方向に何の制約も加えずに吹出させることで実現できる。このため、上側風向板の遮風面２９１ｅが前側ケーシングの傾斜角の延長上に位置するように上側風向板の回動軸の位置と回動角度を選定する。
【０１１４】
他方、室内の情報を得るための人センサーなどのセンサー類を搭載するセンサー面の空気調和機の横方向から見た床面に対する傾斜角度（センサー面角）はセンサーの方向（センサーの感度が最大となる方向）を空気調和機の横方向から見た床面との角度の補角となり、前述のように４０度から６０度（センサーの方向を空気調和機の横方向から見た角度としては３０度から５０度）となる。
【０１１５】
運転停止時には、このセンサー面を上側風向板の風向面２９１ｄで覆うことで、室内を落ち着いた雰囲気にすることができる。この状態から冷房の最大能力運転時の状態までの上側風向板の回動角度を過大に設定すると、遮風面２９１ｅの傾斜角が大きくなって、必然的に前ケーシングの傾斜角を大きくすることになり、吹出し空気の方向がより下向きになって、冷房時の若干上向きで室内を広範囲で冷房する利用法が困難になる。
【０１１６】
また、遮風面２９１ｅが軸角基線から過度に乖離した場合も、回動角が大きくなるが、この場合、回動軸と前ケーシングの間を大きくとらなければならなくなり、無駄な空間が増える。更には、前ケーシングの傾斜角とセンサー面角を維持して該回動角を過度に大きくすると、前述した上側風向板の最高点の位置に基準線が貼る角大きくなり、上側風向板が平板に近づくため剛性が減少し、上側風向板を略水平に保持したときの変形が大きくなり、高級感が失われ、製品のイメージダウンを招き、外観の品質が低下する。
【０１１７】
他方、該回動角が１８度未満では、通常冷房時の上側風向板の位置と運転停止時の上側風向板の収納位置とが近づき過ぎて、冷房運転時に涼しい吹出し空気を室内の遠方に送る風向調整ができなくなるなど、冷房時の若干上向きの風向制御が困難になる恐れが強くなる。
【０１１８】
また、運転停止で上側風向板を閉じて収納する時に、下側風向板との距離が開きすぎて、無駄なスペースとなり、空間の使用効率が低下し、無駄なスペースを解消しようとすると、吹出し面（空気吹出し口開口端の仮想面）の傾斜が小さくなり、冷房時に若干上向きの風向で室内の広範囲に冷風を届けることが困難になる。
【０１１９】
また、運転停止時の、センサー面を上側風向板の風向面２９１ｄで覆った状態から冷房の最大能力運転時の状態までの上側風向板の回動角度を過小に設定すると、遮風面２９１ｅの傾斜角が小さくなって、必然的に前ケーシングの傾斜角を小さくすることになり、吹出し空気の方向がより上向きになって、暖房時に吹出し空気を下向きにして床面まで届けるのが困難になる。
【０１２０】
また、遮風面２９１ｅが軸角基線に接近し過ぎる場合も、回動角が小さくなるが、この場合、回動軸の寸法を小さくしなければならなくなり、回動軸を十分な強度にすることが困難になって、上側風向板の動作が円滑に行われなくなったり、最悪の場合、破損に至ることも考えられ、空気調和機の信頼性が大幅に低下する。
【０１２１】
また、上側風向板の風向面２９１ｄと下側風向板をほぼ平行にして、吹出し空気を縮流、増速して室内の遠方まで送るときに、吹出し空気の流れが縮流から平行流に変化する部分で流れの方向が変ることから、この部の方向変化が大きく（貼る角が小さく）なると渦が生じやすくなり、騒音の発生や、風量の減少などが起こり、上質で効果的な空気調和を行うことが困難になる。
【０１２２】
このため、吹出し口周りを適正な構成にして、尚且つ、停止時には室内機の外観を凹凸の少ない滑らかな形状にし、人センサーを上側風向板で隠して室内の穏やかな雰囲気を乱さない空気調和機を提供することができる。
【０１２３】
また、実施例の空気調和機は、前記間隙形成部を一箇所に設ける。
【０１２４】
これにより、該間隙形成部での隙間を調節することで、冷房時、暖房時の漏れ空気の量を適切な量に管理する。具体的には、上側風向板が冷房運転の位置であるときは適切な量の漏れ空気が吹出し風路側に漏れるようにし、吹出し空気をできるだけ下向きに送りたい暖房運転の立ち上がり時（室温が低く、急速に床近くの温度を上げたい時）には、遮風面２９１ｅを溝部と前ケーシングとの接続部に当てる。
【０１２５】
これにより、吹出し空気が軸側間隙形成部、カバー側間隙形成部と溝部の間の隙間に流れるのを阻止され、遮風面２９１ｅに遮られて、吹出し空気の全部が下方に向かい、床面を効果的に暖める。
【０１２６】
このため、冷房時、暖房立ち上がり時ともに、漏れ量を適切にでき、結露を抑制し、暖房立ち上がり時に床面を効果的に暖房する空気調和機を提供することができる。
【実施例２】
【０１２７】
次に、実施例２の空気調和機の上側風向板の回動軸について図１３、図１４を用いて説明する。図１３は実施例２の空気調和機の室内機の吹出し口の断面図である。図１４は室内機の主に冷房・送風運転時の上側風向板の回動部の拡大図である。
【０１２８】
実施例２の空気調和機は上側風向板２９の回動軸２９ａを図１３に示すように、円形にしたものであり、他の部分は実施例１と同じである。このように回動軸２９ａを円形にすることにより、上側風向板２９の回動軸２９ａと下パネル２４の溝部２４ｃの間で構成される吹出し空気が漏れ出る通路が幅は間隙Ｇｐで長さは溝の筒状の内面に沿った長さとなり通路の長さＬｐが長くなる。このように、間隙Ｇｐはそのままで、通路の長さＬｐが長くなるので、漏れ出る吹出し空気に対する抵抗が大きくなって、漏れ出る吹出し空気の量が少なくなる。
【０１２９】
送風運転時には、上側風向板２９は図１４のように回動され、通路の長さはＬｐとなり、実施例１の場合に比べかなり大きく、漏れ出る吹出し空気の量は少ない。冷房運転時は、上側風向板２９は図７（ｂ）と同様の角度に回動されるが、回動軸２９ａを円形にしているので、通路の長さは溝部２４ｃの形状で定まるので、送風運転時の通路の長さＬｐと同じになり、回動軸の回動位置によらず一定となって、漏れ出す吹出し空気の量も一定となり、安定した少ない量にすることができる。
【０１３０】
このように、実施例の空気調和機は、前記回動軸の中空形状部の外面を円柱状に形成する。
【０１３１】
これにより、回動軸部から吹出し空気が漏れる時の通路になる筐体の溝部との間の隙間の通路の長さが、大略、溝部の円周方向の長さ迄長くなり、隙間を通る空気の抵抗が増え、漏れでる吹出し空気の量が減少する。
【０１３２】
また、回動軸部の外観が一様な曲率の滑らかな面になるので、視覚的なノイズを減少できる。
【０１３３】
また、同じ半円形状の溝部に対して、中空部の面積が広くなり、伝達部材の強度、剛性を上げることができる。逆に、必要となる伝達部材の強度、剛性に対して、回動軸の外径を小さくできるので、この部の質量を減らし、風向板を軽量化できる。
【０１３４】
このため、ショートサーキットを効果的に抑制する空気調和機を提供することができる。
【０１３５】
また、実施例の空気調和機は、前記溝部の、前記回動軸に垂直な断面が円の一部をなす凹形状である。
【０１３６】
これにより、上側風向板の回動軸と下パネルの溝部の間で構成される吹出し空気が漏れ出る通路が幅は間隙で長さは溝の筒状の内面に沿った長さとなり通路の長さが長くなる。このように、間隙はそのままで、通路の長さが長くなるので、漏れ出る吹出し空気に対する抵抗が大きくなって、漏れ出る吹出し空気の量が少なくなる。
【０１３７】
送風運転時には、上側風向板は回動され、通路の長さはかなり大きくなり、漏れ出る吹出し空気の量は少ない。冷房運転時は、上側風向板は回動軸を円形にしているので、通路の長さは溝部の形状で定まるので、送風運転時の通路の長さと同じになり、回動軸の回動位置によらず一定となって、漏れ出す吹出し空気の量も一定となり、安定した少ない量にすることができる。
【０１３８】
このため、上側風向板の回動位置によらず、漏れ空気の量が定量になって、安定した運転になる空気調和機を提供することができる。
【０１３９】
次に、上側風向板の構造について図１５〜図１７を用いて説明する。図１５は上側風向板の斜視図、（ｂ）は上側風向板の分解斜視図である。図１６は上側風向板の風向片の斜視図、（ｂ）は上側風向板の風向片を別の角度から見た斜視図である。図１７は上側風向板の風向片の回動軸部詳細図、（ａ）は平面図、（ｂ）は側面図、（ｃ）は正面断面図、（ｄ）は断面ＡＡである。
【０１４０】
上側風向板２９は図１５に示すように、風向片２９１に軸カバー２９２、２９３を取付け、風向片２９１と軸カバー２９２で回動軸２９ａに形成された中空部に伝達部材２９６を挿入して組立てられる。伝達部材２９６は上側風向板２９を筐体２０に取付けたときに上側風向板２９の駆動モータ２８７と結合され、駆動モータ２８７の駆動力を上側風向板２９に伝達し、上側風向板２９を回動させる。
【０１４１】
風向片２９１には図１６（ａ）、（ｂ）のように、風向面２９１ｄ、遮風面２９１ｅ２９１ｅ、回動軸部２９１ａが形成され、回動軸部２９１ａの両端部を除いた中央部は外面が半円筒状で内面は伝達部材２９６を収納できるよう凹面に形成した半円筒部２９１ｇとなっている。半円筒の外面は軸カバー２９２の外面と組合わさって、回動軸２９ａの外面を遮風面２９１ｅ２９１ｅとの接続部を除いて円筒状にする。
【０１４２】
このように、この実施例では回動軸２９ａの外面を円筒状にしたので、下パネル２４の溝部２４ｃとの隙間は円筒上のどこでも同じ隙間になるので、風向片２９１の円筒の外面全部が図１７（ｄ）に示すように軸側間隙形成部２９１ｂとなり、同様に、右軸カバー２９２の円筒の外面全部がカバー側間隙形成部２９２ｂとなる。
【０１４３】
次に、吹出し口周辺の構成について図１８〜図２０を用いて詳細に説明する。図１８は室内情報センサー類の配置説明図である。図１９は室内情報センサー類の検知範囲説明図である。図２０は上側風向板関係部品の水平面に対する角度説明図、（ｂ）はセンサー面角、（ｃ）は前ケーシング角、（ｄ）は吹出し面収納角である。
【０１４４】
空気調和機には室内の情報を取込んで空気調和機の制御に使用するため各種のセンサー類が組込まれていて、近年では省エネのため、室内に人が居るか居ないか、室内の何処に居るか、室内の明るさ、室内の音などの情報を得て空気調和機を制御することも行われつつある。このようなセンサーは室内の情報を的確に捉える位置に搭載する必要があるため、壁掛型空気調和機では使用者の居るであろう位置に近い前面下部の吹出し口の直ぐ上に設けるのが理に適っている。
【０１４５】
図１８はこの状態を示したもので、赤外線センサー３９３、音センサー３９２などが空気調和機の前面下部に設けられている。この場合、これらのセンサーは、人が居るであろう位置に向けて設置することが求められるので、センサーの方向は室内中央部に向けるのが良い。このように、使用者が居る蓋然性の高い室内中央部に向けてセンサーを設置することで、空気調和機は室内の情報を的確に得ることができる。この時、センサーの方向が床面と交わる角λをセンサーの方向と言うこととする。
【０１４６】
大容量の空気調和機は広い室内に据付けられ、小容量の空気調和機は狭い室内に据付けられる。他方、壁掛型空気調和機の据付け高さは空気調和機の容量に応じての変化はほとんどなく、床面から１.７ｍから２.０ｍ程度の範囲になっている。これは、室内の天井の高さや、置かれる家具の高さ、更には、メンテナンスのし易さなどから決まってくるもので、天井高の高いロフト付の部屋では３.０ｍ程度になる場合もある。
【０１４７】
このため、図１９のように、広い部屋用の大容量の空気調和機のセンサーの方向λ１は小さくし、狭い部屋用の小容量の空気調和機のセンサーの方向λ２は大きくする。センサーの方向λは経験的に３０度から５０度の範囲で設定されることが多い。センサーの方向は一般的にセンサーの感度が最も鋭敏な方向で、この鋭敏な感度の周りに、実用的な感度の領域が広がり、その外側に、不確実な感度の領域が有って、更にその外側が不感領域となる。
【０１４８】
図１９には、角度μ１、μ２でセンサーの実用的な感度領域を示している。センサーの実用的な感度領域の広さは、センサーの種類、価格、製造メーカー等により様々であり、一概には言えないが、用途に応じて、複数のセンサーで領域を分担することも行われている。この時、センサーはその取付け基板３９０に垂直に搭載されることが一般的であり、取付け基板３９０の角度γ（センサー面角）はセンサー方向λの余角となり、γ＝９０−λの関係となる。このため、取付け基板３９０の角度の範囲は４０度から６０度となる。
【０１４９】
吹出し口の周辺には空気調和機の機能、性能を左右する前ケーシング２８０ａ、上側風向板２９、下側風向板２９′センサー取付け基板３９０などの構成品があり、実施例では図２０のように配置されている。図２０のＨＬは水平線であり、センサー取付け基板３９０の傾斜γ（センサー面角）は図１８のセンサーの方向λの余角γと同じである。上側風向板２９の風向面２９１ｄは空気調和機運転停止時に風向板を閉じた時に、センサー類を隠す働きをする。
【０１５０】
上側風向板２９の回動軸２９ａの軸心と風向面２９１ｄの先端を結ぶ線分を基準線ＢＬとし、基準線ＢＬの長さをＬとする。上側風向板２９の風向面２９１ｄ、遮風面２９１ｅの基準線ＢＬからの高さが一番大きい点をＰとして、風向面２９１ｄの先端と点Ｐを結ぶ線は風向面２９１ｄの方向を代表する直線になるのでこれを風向面代表直線ＤＬと言う。
【０１５１】
図２０（ａ）のように、空気調和機の運転停止時の上側風向板２９を閉じた状態で、上側風向板２９の基準線ＢＬからの最高点Ｐと回動軸２９ａの軸心を結ぶ線分を軸角基線ＪＬと言い、軸角基線ＪＬの長さをＳｎとする。軸角基線ＪＬの長さＳｎは遮風面２９１ｅの長さにほぼ等しくなるので、これを遮風面長さＳｎといっても差し支えない。
【０１５２】
この場合、図２０（ｂ）のように空気調和機停止時の上側風向板２９を閉じた時に風向面２９１ｄの傾斜ι（風向面収納角）をセンサー取付け基板３９０の傾斜γ（センサー面角）にほぼ等しくすることで、センサー類を最小の面積で隠すことができる。前ケーシング２８０ａは吹出し方向を冷房運転時の若干上向きから暖房運転時のできるだけ下向きの方向にまで対応できるように、図２０（ｃ）のα（本明細書では前ケーシング角と言う）を、これも経験的に、１５度から２５度の範囲にすることが行われている。
【０１５３】
また、下側風向板２９′は空気調和機停止時に吹出し口２８を閉じ、空気調和機の外形を形造り、その時の傾斜β（吹出し面収納角：図２０（ｄ）参照）は吹出し口２８の傾斜に他ならず、吹出し口２８の傾斜も前ケーシング角αと同様に吹出し方向を冷房運転時の若干上向きから暖房運転時のできるだけ下向きの方向にまで対応できるように、これも経験的に、１０度から２５度の範囲にすることが行われている。
【０１５４】
次に、空気調和機の運転停止時の上側風向板と下側風向板の位置関係について図２１を用いて説明する。図２１は上側風向板関係部品の軸角基準線に対する角度説明図、（ｂ）は風向面−軸角、（ｃ）は遮風面−軸角、（ｄ）は吹出し面−軸収納角である。
【０１５５】
図２１でＥＪＬで示すのは、前述した軸角基線ＪＬの延長線であり、水平線ＨＬに対して若干傾いている。図２１（ｂ）のように、軸角基線の延長線ＥＪＬと風向面代表直線ＦＤで形成される角をζ（風向面−軸角＝形成角）とすると、形成角ζは上側風向板２９の基準線ＢＬからの最高点Ｐに対し基準線ＢＬが貼る角νの補角になり、ζ＝１８０−νの関係になる。
【０１５６】
点Ｐから回動軸２９ａの外形に引いた接線は遮風面２９１ｅにほぼ沿った直線となるので、これを遮風面代表直線ＦＯと言う（図２１（ｃ）参照）。遮風面代表直線ＦＯと軸角基線ＪＬとで形成される角δ（遮風面−軸角）は上側風向板２９を構成する風向片２９１の材料の強度に応じて、上側風向板２９を回動させる力や撓みの許容量などから定まる回動軸２９ａの外径や風向板の厚さに依存し、材料の強度が高ければ小さく、弱い材料では大きくする必要がある。
【０１５７】
また、図２１（ｄ）のように、空気調和機の運転停止時に軸角基線ＪＬと下側風向板２９′が成す角をε（吹出し面−軸収納角）とすると、下側風向板２９′から上側風向板２９にかけての空気調和機運転停止時の外形を滑らかにつなぐため、εをδより大きくする必要がある。さもないと、回動軸２９ａが下側風向板２９′に接触し、下側風向板２９′が所定の位置まで回動できなくなり、下側風向板２９′と上側風向板２９の間に隙間ができて、停止時の概観を損なう恐れが有る。
【０１５８】
次に、風向板の位置とその時の吹出し空気の流れについて図２２〜図２５を用いて説明する。図２２は冷房時の吹出し口周辺の風の流れである。図２３は暖房運転開始時の吹出し口周辺の風の流れである。図２４は冷房・送風時の吹出し口周辺の風の流れ、（ａ）は若干上向き冷房時、（ｂ）は送風時である。図２５は暖房時の吹出し口周辺の風の流れ、（ａ）は弱暖房時、（ｂ）は通常暖房時である。
【０１５９】
図２２のように、前ケーシングの延長線ＥＣＬと遮風面代表直線ＳＬとが成す角を前ケーシング−遮風面角κとする。最大冷房能力運転のときのように冷房でフル能力を発揮させようとする場合は、吹出し風路２８０の抵抗も最小にして、吹出し空気の量が最大となるよう図２２のように、上側風向板２９の遮風面２９１ｅを前ケーシング２８０ａの傾斜にほぼ等しくする。
【０１６０】
このように、上側風向板２９の遮風面２９１ｅを前ケーシング２８０ａの傾斜にほぼ等しくすることで、吹出し風路２８０を流れる吹出し空気がそのままの速度と方向を大略保ったまま空気調和機から吹出す。言い換えると、上側風向板２９を、水平方向付近への送風状態において吹出し風路２８０の上面の延長面を形成する面と、この延長面を形成する面の気流の下流側の端部から上方向にくの字状に折れ曲がるように形成された面とから構成し、水平方向付近への送風状態において、上記くの字状に折れ曲がった部分までの面と下側風向板の気流の下流側の端部までの面との間に流路を形成することで、吹出し風路２８０を流れる吹出し空気がそのままの速度と方向を大略保ったまま空気調和機から吹出すことができる。
【０１６１】
この時、遮風面２９１ｅは吹出し風路２８０の外側に位置するか、吹出し空気を浅い角度、つまり、前ケーシング−遮風面角κが小さい角度、で受けるようにする。
【０１６２】
これにより、吹出し空気に誘引されて回動軸２９ａと溝部２４ｃとの隙間を通って上側風向板２９の上面付近の室内空気が吹出し口２８に漏れてくる。漏れてきた室内空気は吹出し空気と上側風向板２９の間を流れ、上側風向板２９に冷たい吹出し空気が直接触れるのを防止する。このため、上側風向板２９の温度はあまり下がらず、上側風向板２９に生ずる結露を抑制することができる。
【０１６３】
暖房運転開始時には、図２３のように、上側風向板２９の遮風面２９１ｅを前ケーシング２８０ａの終端に当接させる。こうすることにより、吹出し風路２８０から吹出した吹出し空気は遮風面２９１ｅに遮られて、ほぼ全量が下方に方向を変え、風向面２９１ｄ及び下側風向板２９′に案内されて床面近くまで到達する。このように、暖房運転開始時には、吹出し空気を効率良く床面近くまで到達させ、素早く室内を暖める。言い換えると、下方向への送風状態において前記吹出し風路２８０の上面（前ケーシング２８０ａが形成する吹出し風路２８０の上面）の延長面を形成する面（遮風面２９１ｅ）及びこの面の端部からくの字状に折れ曲がるように形成された面（風向面２９１ｄ）と、下側風向板の気流の下流側の端部までの面との間に流路を形成する構成にした。
【０１６４】
若干上向きの冷房を行う場合は、図２４（ａ）のように、上側風向板２９を冷房のフル能力運転時よりも上側にし、下側風向板２９′をほぼ水平にする。この時、遮風面２９１ｅは前ケーシング２８０ａの傾斜から外れているので冷房のフル能力運転の場合と同様に、吹出し空気に誘引されて回動軸２９ａと溝部２４ｃとの隙間を通って上側風向板２９の上面付近の室内空気が吹出し口２８に漏れて来て、上側風向板２９が冷やされるのを抑え、結露を抑制する。
【０１６５】
通常の冷房・送風を行う場合は、図２４（ｂ）のように、上側風向板２９を冷房のフル能力運転時よりも下側にし、下側風向板２９′を上側風向板２９の風向面２９１ｄとほぼ平行にする。この時、遮風面２９１ｅは吹出し空気を浅い角度κ（前ケーシング−遮風面角）で受ける。これにより、吹出し空気に誘引されて回動軸２９ａと溝部２４ｃとの隙間を通って上側風向板２９の上面付近の室内空気が吹出し口２８に漏れて来て、上側風向板２９が冷やされるのを抑え、結露を抑制する。
【０１６６】
送風・弱暖房を行う場合は、図２５（ａ）のように、上側風向板２９を通常の冷房・送風運転時よりも下側にし、下側風向板２９′を上側風向板２９の風向面２９１ｄとほぼ平行にする。この時、遮風面２９１ｅは吹出し空気を前よりも深い角度κ（前ケーシング−遮風面角）で受ける。これにより、吹出し空気に誘引される空気と、吹出し空気が遮風面２９１ｅに衝突してできる隙間から漏れ出ようとする空気が拮抗して、隙間を流れる空気がほとんどゼロになる。この時、上側風向板２９は直接吹出し空気に触れるが、送風・暖房運転時なので、吹出し空気の温度は室温と同じか室温より高く、上側風向板２９が冷やされることはなく、結露の心配もない。
【０１６７】
通常の暖房を行う場合は、図２５（ｂ）のように、上側風向板２９を送風・弱暖房運転時よりも下側にし、下側風向板２９′を上側風向板２９の風向面２９１ｄとほぼ平行にする。この時、遮風面２９１ｅは吹出し空気を深い角度κ（前ケーシング−遮風面角）で受ける。これにより、吹出し空気が遮風面２９１ｅに衝突し、吹出し空気の一部が隙間から漏れ出る。この時、上側風向板２９は直接吹出し空気に触れるが、通常暖房運転時なので、吹出し空気の温度は室温より高く、上側風向板２９が冷やされることはなく、結露の心配もない。
【０１６８】
この時の運転状態は通常暖房運転なので、吹出し空気の一部が漏れ出ても、暖房能力には余裕があり、暖房運転に支障をきたす恐れはない。なお、漏れ出た一部の吹出し空気は上昇し、吸込み口に吸込まれるが、回動軸２９ａと溝部２４ｃの隙間を調節することで、その量を、暖房運転の妨げにならない僅かな量に抑えることもできる。
【実施例３】
【０１６９】
次に、実施例３の空気調和機の上側風向板について図２６〜図２９を用いて説明する。図２６は実施例３の空気調和機の室内機の吹出し口の断面図である。図２７は室内機の主に冷房運転時の上側風向板の回動部の拡大図である。図２８は室内機の他の運転状態の時の上側風向板の回動部の拡大図、（ａ）は停止時、（ｂ）は主に冷房・送風運転時、（ｃ）は主に送風運転時である。図２９は室内機の他の運転状態の時の上側風向板の回動部の拡大図、（ａ）は主に送風・弱暖房運転時、（ｂ）は主に強暖房運転時である。
【０１７０】
実施例３の空気調和機では冷房運転時に吹出し風路に進入してくる室内空気が多くなるようにする。このため、実施例３の空気調和機では実施例２の空気調和機の溝部２４ｃの断面形状を半円形から径を大きくした半長円形にし、半長円形にしたことにより、回動軸２９ａと溝部２４ｃの間で大きくなった隙間に、断熱性シート２４ｐを貼ったものであり、他の部分は実施例２と同じである。
【０１７１】
実施例２の空気調和機では冷房運転時に図７（ｂ）と同様に吹出し空気の流れに吸寄せられて、上側風向板２９の回動軸２９ａの軸側間隙形成部２９１ｂ、カバー側間隙形成部２９２ｂと溝部２４ｃで形成された隙間を通して、小矢印のように、少量の室内空気が吹出し風路２８０に流れ込む。
【０１７２】
また、暖房運転時には、この隙間から図１０（ａ）と同様に、小矢印のように少量の吹出し空気が吹出し風路２８０から漏れ出す。従って、暖房運転時に、この隙間を流れる空気の量を少なくすることで、吹出し温風を効果的に下向きに送風することができることは前述した。また、冷房運転時に遮風面２９１ｅの上面に室内の湿度が高いときに結露を生ずることや、遮風面２９１ｅの上面に断熱材を貼付して結露を抑制することも前述した。
【０１７３】
実施例３の空気調和機では暖房運転時に吹出し温風を効果的に下向きに送風することができ、且つ、室内の湿度が高いときの冷房運転でも遮風面２９１ｅの上面の結露を抑制する構造を提案する。図２６のように、回動軸２９ａと溝部２４ｃとの間の隙間を大きくすることで、冷房運転時、図２７のように、この隙間から、上側風向板２９の上面の室内空気が実施例２の場合より多く流れ込む。
【０１７４】
このように、冷房運転時、広くなった軸側間隙形成部２９１ｂ、カバー側間隙形成部２９２ｂと溝部２４ｃの間の隙間を通して、図２７の小矢印のように、多くの室内空気が吹出し風路２８０に流れ込む。この流れ込んだ上側風向板２９の上面の室内空気で上側風向板２９の遮風面２９１ｅ、風向面２９１ｄが覆われ、大きな矢印で示す冷たい吹出し空気に直接触れることが無くなり、上側風向板２９の上面の温度が上がって、結露が少なくなる。
【０１７５】
このため、直進してくる冷たい吹出し空気から回動軸２９ａを確実に退避するように、溝部２４ｃの断面形状を半長円形にし、回動軸２９ａの位置を前ケーシング２８０ａから遠ざけるようにする。この時、回動軸２９ａと前ケーシング２８０ａ側の溝部２４ｃの間に、より広い隙間ができるが、この隙間に、次に説明するように、断熱性シート２４ｐを貼る。
【０１７６】
これは、冷たい吹出し空気に直接触れている前側ケーシング２８０ａに近い部分の溝部２４ｃは冷やされて低温になるため、軸側間隙形成部２９１ｂ、カバー側間隙形成部２９２ｂと溝部２４ｃの間の隙間から流れ込んだ上側風向板２９の上面の室内空気の水分が結露し、室内の湿度が高いときに、結露した水分が落下する恐れがあり、これを防ぐため、断面を半長円形にした溝部２４ｃの前ケーシング２８０ａに近い部分に断熱性シート２４ｐを貼り、結露が抑制されるようにしているためである。
【０１７７】
このように、図２７や図２８（ｂ）のような冷房及び冷房・送風運転時の上側風向板２９の回動位置では回動軸２９ａ及び遮風面２９１ｅが前ケーシング２８０ａの延長線の外側（図２７、図２８では上側）に位置するようにする。図２７や図２８（ｂ）のように、遮風面２９１ｅと前ケーシング２８０ａの延長線が交差しないか、浅い角度で交差する場合は、軸側間隙形成部２９１ｂ、カバー側間隙形成部２９２ｂと溝部２４ｃの間の隙間から上側風向板２９の上方の室内空気が吸込まれる。
【０１７８】
これにより、前述のように、吹出し空気と遮風面２９１ｅの間を流れ、吹出し空気が直接、遮風面２９１ｅに触れるのを防ぐ作用をする。また、図２９（ａ）のように、深い角度で交差する場合は、吹出し空気が軸側間隙形成部２９１ｂ、カバー側間隙形成部２９２ｂと溝部２４ｃの間の隙間から、上側風向板２９の上方に抜けてゆく。
【０１７９】
これらの中間の角度で交差する場合は、図２８（ｃ）の小さい矢印のように、軸側間隙形成部２９１ｂ、カバー側間隙形成部２９２ｂと溝部２４ｃの間の隙間を出ようとする吹出し空気と入ろうとする室内空気とが拮抗し、出入りがほとんど無い状態になる。また、図２９（ｂ）のように遮風面２９１ｅを前ケーシング２８０ａに当接させた場合は、吹出し空気は軸側間隙形成部２９１ｂ、カバー側間隙形成部２９２ｂと溝部２４ｃの間の隙間から漏れることなく、空気調和機の直下をめがけて吹出し、床面を効果的に暖める。
【０１８０】
冷房、暖房の運転状態と上側風向板２９の回動角度との関係は、冷房運転時には、冷たい吹出し空気は自然と室内の下部空間に滞留しがちになるので、吹出し空気の風向を上に向けるのが良い。しかし、風向を上に向け過ぎると吹出し口から吹出し空気が直ぐに吸込み口から吸込まれるショートサーキットの現象が起こり、室内を有効に冷房できなくなる。
【０１８１】
これを防ぐため、強力な冷房が必要なときには、吹出し風路２８０の通風抵抗が最小になるよう、図７（ｂ）のように、上側風向板２９、下側風向板２９′を回動させ、吹出し空気が前ケーシング２８０ａと略平行に吹出るようにし、更に、送風ファン３１１の回転数を増して、強風で運転し、室内の遠方まで吹出し空気を送り、冷たい吹出し空気が空気調和機近くで滞留しないようにする。
【０１８２】
このとき、強風で運転しているので、室内空気を空気吸込み口２７、２７′から吸込む力も強いが、風向を前ケーシング２８０ａと略平行に斜め下向きにしているので、ショートサーキットが起きることは無い。逆の言い方をすれば、強風冷房運転のときにショートサーキットを起こさず、且つ、室内遠方まで吹出し空気が届くような斜め下向きの角度に合わせて前ケーシングの設置角度を設定しているとも言える。
【０１８３】
また、穏やかな冷房を行うときには、冷凍サイクルの冷凍能力を下げるなどすると共に、風量を少なくして、静かな運転を行う。このとき、室内空気を空気吸込み口２７、２７′から吸込む力は弱く、風向をより上向きにしてもショートサーキットが起きにくく、且つ、風向を上向きにした方が、冷たい吹出し空気が自然対流で下降する範囲が分散し、室内の快適範囲を広げることができる。
【０１８４】
一方、冷房運転のときに風向を下に向け過ぎると、冷たい吹出し空気が床面に達し、床を這って広がるようになり、暑さ寒さを感じやすい顔付近が適温になるまでに脚、腰を冷やし過ぎて、快適感が損なわれる。また、外出から帰宅したときなど、風向を下向きにし、顔付近に冷たい吹出し空気を集中的に浴びるようにしたいと言うニーズも有るが、このような時でも、数分間は快適感が得られるが、じきに、快適感は薄れるので、冷房運転時に長時間、風向を下向きに維持する必要性は希薄である。
【０１８５】
このため、冷房運転時の上側風向板２９の回動範囲は図７（ｂ）の位置を中心として、これより上側の範囲、及び、下側は図１１の冷房・送風運転時の位置までを考慮すれば十分である。このとき、上側風向板２９は、概ね、遮風面２９１ｅと前ケーシング２８０ａの延長線が交差しないか、浅い角度で交差する。
【０１８６】
このため、吹出し空気は図２７、図２８（ｂ）の大きな矢印のように流れ、軸側間隙形成部２９１ｂ、カバー側間隙形成部２９２ｂと溝部２４ｃの間の隙間を通って、上側風向板２９の上面の室内空気が小さい矢印のように吹出し空気と遮風面２９１ｅの間に流れ込むので、遮風面２９１ｅが冷たい吹出し空気に直接触れることが無く、上側風向板２９に断熱性のシートを貼らなくても、上側風向板２９の上面の温度が低くならず、上面の結露が少なくて済み、室内の湿度が高いときでも、結露した水滴で室内を汚す恐れが少ない。
【０１８７】
図２９（ａ）のように、遮風面と２９１ｅと前ケーシング２８０ａの延長線が深い角度で交差する場合は、吹出し空気が軸側間隙形成部２９１ｂ、カバー側間隙形成部２９２ｂと溝部２４ｃの間の隙間から、上側風向板２９の上方に抜け、また、深くも浅くも無い中間の角度で交差する場合は、図２８（ｃ）の小さい矢印のように、軸側間隙形成部２９１ｂ、カバー側間隙形成部２９２ｂと溝部２４ｃの間の隙間を出ようとする吹出し空気と入ろうとする室内空気とが拮抗し、出入りがほとんど無い状態になることは前述した。
【０１８８】
上側風向板２９が、このような、回動位置で運転されるのは、冷房運転以外のときで、暖房運転や空気清浄運転などのときであり、吹出し空気が直接遮風面２９１ｅに触れても、冷房運転のときのように結露が生じたりすることは無く、支障なく運転できる。吹出し空気をできるだけ下向きに送りたい暖房運転の立ち上がり時（室温が低く、急速に床近くの温度を上げたい時）には、図２９（ｂ）のように、遮風面２９１ｅを溝部２４ｃと前ケーシング２８０ａとの接続部に当てる。
【０１８９】
これにより、吹出し空気が軸側間隙形成部２９１ｂ、カバー側間隙形成部２９２ｂと溝部２４ｃの間の隙間に流れるのが阻止され、遮風面２９１ｅに遮られて、吹出し空気の全部が下方に向かい、床面を効果的に暖める。このように、遮風面２９１ｅと前ケーシング２８０ａの傾斜を工夫することで、冷房、暖房など、どのような運転種別のときでも、上側風向板２９に結露が生じないので、上側風向板２９に断熱性シートを貼り付ける必要が無くなる。
【０１９０】
上述のように、強力な暖房を行いたい場合には、遮風面２９１ｅを溝部２４ｃと前ケーシング２８０ａとの接続部に当てて運転するが、これ以外の穏やかな暖房の場合は、風量を少なくして静かな運転とするので、図２９（ａ）のように、軸側間隙形成部２９１ｂ、カバー側間隙形成部２９２ｂと溝部２４ｃの間の隙間から吹出し空気が漏れて小さなショートサーキットが起きる。
【０１９１】
しかし、小さなショートサーキットが起きても、空気調和機の室内空気を吸込む力は弱く、暖房運転に支障がでるほどではない。また、床面近くを是が非でも暖めなければならない場合でもないので、この状態での暖房ニーズに対して十分適応した暖房運転になる。
【０１９２】
このように、実施例の空気調和機は、前記溝部の、前記回動軸に垂直な断面が長円の一部をなす凹形状である。
【０１９３】
これにより、直進してくる冷たい吹出し空気から回動軸を確実に退避するように、回動軸の位置を前ケーシングから遠ざけるようにし、この時、回動軸と前ケーシング側の溝部の間にできるより広い隙間に、断熱性シートを貼り、この部の結露を抑制する。この場合、回動軸と溝部との間の隙間を大きくすることで、冷房運転時、この隙間から、上側風向板の上面の室内空気がより多く流れ込む。
【０１９４】
このように、冷房運転時、広くなった軸側間隙形成部、カバー側間隙形成部と溝部の間の隙間を通して、多くの室内空気が吹出し風路に流れ込む。この流れ込んだ上側風向板の上面の室内空気で上側風向板の遮風面、風向面が覆われ、大きな矢印で示す冷たい吹出し空気に直接触れることが無くなり、上側風向板の上面の温度が上がって、結露が少なくなる。
【０１９５】
このため、直進してくる冷たい吹出し空気から回動軸を確実に退避するように、溝部の断面形状を半長円形にし、回動軸の位置を前ケーシングから遠ざけるようにする。この時、回動軸と前ケーシング側の溝部の間に、より広い隙間ができるが、この隙間に、次に説明するように、断熱性シートを貼る。
【０１９６】
これは、冷たい吹出し空気に直接触れている前側ケーシングに近い部分の溝部は冷やされて低温になるため、軸側間隙形成部、カバー側間隙形成部と溝部の間の隙間から流れ込んだ上側風向板の上面の室内空気の水分が結露し、室内の湿度が高いときに、結露した水分が落下する恐れがあり、これを防ぐため、断面を半長円形にした溝部の前ケーシングに近い部分に断熱性シートを貼り、結露が抑制されるようにしているためである。
【０１９７】
このため、前側ケーシングの最後流部の結露が抑制され、室内を汚す恐れが少ない空気調和機を提供することができる。
【実施例４】
【０１９８】
次に、実施例４の空気調和機の上側風向板について図３０〜図３３を用いて説明する。図３０は実施例４の空気調和機の室内機の吹出し口の断面図である。図３１は室内機の主に冷房運転時の上側風向板の回動部の拡大図である。図３２は室内機の他の運転状態の時の上側風向板の回動部の拡大図、（ａ）は停止時、（ｂ）は主に冷房・送風運転時、（ｃ）は主に送風運転時である。図３３は室内機の他の運転状態の時の上側風向板の回動部の拡大図、（ａ）は主に送風・弱暖房運転時、（ｂ）は主に強暖房運転時である。
【０１９９】
実施例４の空気調和機では冷房運転時に吹出し風路に進入してくる室内空気が多くなるようにするため、実施例２の空気調和機の溝部２４ｃの断面形状を半円形から半長円形にし、上側風向板２９の風向片２９１の遮風面２９１ｅに通気開口２９１ｈを設けたものであり、実施例３の空気調和機のように軸側間隙形成部２９１ｂ、カバー側間隙形成部２９２ｂと溝部２４ｃの間の隙間を大きくする代わりに、通気開口２９１ｈを設けたものである。他の部分は実施例２と同じである。
【０２００】
実施例４の空気調和機では、図３０のように、遮風面２９１ｅの回動軸２９ａとの付け根の部分に、通気開口２９１ｈを設けたので、冷房運転時、図３１のように、この通気開口２９１ｈから、上側風向板２９の上面の室内空気が流れ込む。これにより、実施例３と同様に、図３０、図３１の大きな矢印のように吹出し風路２８０を直進してくる吹出し空気の流れに上側風向板が直接触れることが無くなり、上側風向板２９の上面の温度が上がって、結露が少なくなる。
【０２０１】
このように、冷房運転時には、通気開口２９１ｈの位置は開口端が上側風向板２９の回動位置にかかわらず、前ケーシング２８０ａの延長線の外側（図３０、図３１では上側）に位置するようにする。図３１や図３２（ｂ）のように、遮風面２９１ｅと前ケーシング２８０ａの延長線が交差しないか、浅い角度で交差する場合は、通気開口２９１ｈから上側風向板２９の上方の室内空気が吸込まれ、前述のように、吹出し空気と遮風面２９１ｅの間を流れ、吹出し空気が直接、遮風面２９１ｅに触れるのを防ぐ作用をする。
【０２０２】
また、図３３（ａ）のように、深い角度で交差する場合は、吹出し空気が通気開口２９１ｈから、上側風向板２９の上方に抜けてゆく。これらの中間の角度で交差する場合は、図３２（ｃ）の小さい矢印のように、通気開口２９１ｈを出ようとする吹出し空気と入ろうとする室内空気とが拮抗し、出入りがほとんど無い状態になる。
【０２０３】
冷房運転時の上側風向板２９の回動範囲は前述したように、図７（ｂ）の位置を中心として、これより上側の範囲、及び、下側は図１１の冷房・送風運転時の位置までを考慮すれば十分である。このとき、上側風向板２９は、概ね、遮風面２９１ｅと前ケーシング２８０ａの延長線が交差しないか、浅い角度で交差するので、吹出し空気は図３１、図３２（ｂ）の大きな矢印のように流れ、通気開口２９１ｈを通って、上側風向板２９の上面の室内空気が小さい矢印のように吹出し空気と遮風面２９１ｅの間に流れ込む。
【０２０４】
このことから、冷房運転時の上側風向板２９の回動位置では、上側風向板２９の上面の室内空気が小さい矢印のように吹出し空気と遮風面２９１ｅの間に流れ込み、遮風面２９１ｅが冷たい吹出し空気に直接触れることが無いので、上側風向板２９に断熱性のシートを貼らなくても、上側風向板２９の上面の温度が低くならず、上面の結露が少なくて済み、室内の湿度が高いときでも、結露した水滴で室内を汚す恐れが少ない。
【０２０５】
また、実施例４でも、吹出し空気をできるだけ下向きに送りたい暖房運転の立ち上がり時（室温が低く、急速に床近くの温度を上げたい時）には、図３３（ｂ）のように、遮風面２９１ｅを溝部２４ｃと前ケーシング２８０ａとの接続部に当てて、吹出し空気が通気開口２９１ｈに流れるのを阻止する。これにより、遮風面２９１ｅに遮られて、吹出し空気の全部が下方に向かい、床面を効果的に暖める。
【０２０６】
このように、通気開口２９１ｅの位置と前ケーシング２８０ａの傾斜を工夫することで、冷房、暖房など、どのような運転種別のときでも、上側風向板２９に断熱性シートを貼り付ける必要が無くなる。
【０２０７】
上述のように、強力な暖房を行いたい場合には、遮風面２９１ｅを溝部２４ｃと前ケーシング２８０ａとの接続部に当てて運転するが、これ以外の穏やかな暖房の場合は、風量を少なくして静かな運転とするので、図３３（ａ）のように、通気開口２９１ｈから吹出し空気が漏れても、空気調和機の室内空気を吸込む力は弱いので、ショートサーキットを起こすほどの気流は起きず、また、床面近くを是が非でも暖めなければならない場合でもないので、この状態での暖房ニーズに対して十分適応した暖房運転になる。
【０２０８】
このように、実施例の空気調和機は、前記上側風向板の遮風面の、冷房運転時の上側風向板の回動位置で吹出し風路外となる場所に上側風向板を貫通する通気開口を設けた。
【０２０９】
これにより、冷房運転時、この通気開口から、上側風向板の上面の室内空気が吹出し空気に流れ込む。これにより、吹出し風路を直進してくる吹出し空気の流れに上側風向板が直接触れることが無くなり、上側風向板の上面の温度が上がって、結露が少なくなる。この場合、回動軸と溝部との隙間からの空気の漏れ量は少なければ少ないだけ好都合で、前述したような漏れ量の調節は不要となる。
【０２１０】
このように、通気開口の位置は開口端が上側風向板の回動位置にかかわらず、前ケーシングの延長線の外側に位置するように、遮風面と前ケーシングの延長線が交差しないか、浅い角度で交差する場合は、通気開口から上側風向板の上方の室内空気が吸込まれ、前述のように、吹出し空気と遮風面の間を流れ、吹出し空気が直接、遮風面に触れるのを防ぐ作用をする。
【０２１１】
これにより、遮風面の温度低下が抑制され、遮風面上部に結露が発生する恐れが低減され、上側風向板に断熱性のシートを貼らなくても、上側風向板の上面の結露が少なくて済み、室内の湿度が高いときでも、結露した水滴で室内を汚す恐れが少なくなる。
【０２１２】
このため、回動軸と溝部との隙間からの空気の漏れ量の調節が不要で、遮風面上面の断熱材も省略でき、省資源となる空気調和機を提供することができる。
【実施例５】
【０２１３】
次に、実施例５の空気調和機の上側風向板について図３４〜図３７を用いて説明する。図３４は実施例５の空気調和機の室内機の吹出し口の断面図である。図３５は室内機の主に冷房運転時の上側風向板の回動部の拡大図である。図３６は室内機の他の運転状態の時の上側風向板の回動部の拡大図、（ａ）は停止時、（ｂ）は主に冷房・送風運転時、（ｃ）は主に送風運転時である。図３７は室内機の他の運転状態の時の上側風向板の回動部の拡大図、（ａ）は主に送風・弱暖房運転時、（ｂ）は主に強暖房運転時である。
【０２１４】
実施例５の空気調和機は実施例４の空気調和機の上側風向板２９の通気開口２９１ｈをカバーするように開口カバー２９１ｊを設けたものであり、他の部分は実施例４と同じである。実施例４の空気調和機では冷房運転時に図３１、図３２（ｂ）のように吹出し空気の流れに吸寄せられて、上側風向板２９の通気開口２９１ｈを通って、小矢印のように、室内空気が吹出し風路２８０に流れ込む。
【０２１５】
実施例５の空気調和機でも、冷房運転時は図３４、図３５、図３６（ｂ）のように、実施例４と同様に、上側風向板２９の通気開口２９１ｈを通って、小矢印のように、室内空気が吹出し風路２８０に流れ込み、冷たい吹出し空気と上側風向板２９の間を流れて、上側風向板２９が過度に冷やされず、結露が少なくなって、結露水で室内を汚すのを防いでいる。
【０２１６】
暖房運転時に、上側風向板２９の回動位置が図３７（ａ）のような場合は、暖かい吹出し空気が通気開口２９１ｈを通って、上側風向板２９の上面側（図３７（ａ）では左側）に漏れてゆくが、通気開口２９１ｈに開口カバー２９１ｊが設けられているので、漏れ出た吹出し空気は下向きに変向されて、上側風向板２９の上面に沿って下向きに流れ、上側風向板２９の先端で風路側の吹出し空気本流と合流し、床面近くを効果的に暖める。
【０２１７】
このとき、通気開口２９１ｈから漏れ出した吹出し空気の一部は自然対流により上昇し、空気調和機の空気吸込み口に達するが、その量は下向きに流れる量に比べて僅かであり、空気調和機の空調制御を撹乱するまでには至らず、暖房運転に支障をきたすほどではない。
【０２１８】
このように、実施例の空気調和機は、前記上側風向板の通気開口の反吹出し風路側に、通気開口を覆うように開口カバーを設けた。
【０２１９】
これにより、暖房運転時など、上側風向板を下向きにしたときに、通気開口が吹出し空気の流路内に入っても、通気開口を通って遮風面の反吹出し風路側に漏れ出た吹出し空気は開口カバーで下方に偏向され、上側風向板の反吹出し風路側に沿って下向きに流れ、上側風向板の先端で吹出し風路側の吹出し空気本流と合流し、床面近くを効果的に暖める。
【０２２０】
このため、暖房時にショートサーキットを防ぎ、吹出し空気を効果的に下向きにする空気調和機を提供することができる。
【実施例６】
【０２２１】
次に、実施例６の空気調和機の上側風向板について図３８〜図４１を用いて説明する。図３８は実施例６の空気調和機の室内機の吹出し口の断面図である。図３９は室内機の主に冷房・送風運転時の上側風向板の回動部の拡大図である。図４０は室内機の他の運転状態の時の上側風向板の回動部の拡大図、（ａ）は停止時、（ｂ）は主に冷房運転時、（ｃ）は主に送風運転時である。図４１は室内機の他の運転状態の時の上側風向板の回動部の拡大図、（ａ）は主に送風・弱暖房運転時、（ｂ）は主に強暖房運転時である。
【０２２２】
実施例６の空気調和機では冷房運転時に吹出し風路に進入してくる室内空気を多くし、暖房運転時に漏れ出る吹出し空気を少なくする。このため、実施例６の空気調和機では実施例１の空気調和機の溝部２４ｃの断面形状を半円形から径を大きくした半長円形にし、下パネル２４の溝部２４ｃに突起を設け、溝側間隙形成部２４ｑとし、他の部分は実施例１と同じである。
【０２２３】
このように、溝部２４ｃに突起を設けたことにより、暖房運転時、上側風向板２９を最も下に向けたときに、上側風向板２９の軸側間隙形成部２９１ｂと該溝側間隙形成部２４ｑとが当接し、この部から吹出し空気が漏れ出ることはなくなる。
【０２２４】
実施例１の空気調和機では冷房運転時に図９（ｂ）、図１１（ｂ）のように吹出し空気の流れに吸寄せられて、上側風向板２９の軸側間隙形成部２９１ｂ、カバー側間隙形成部２９２ｂと溝部２４ｃとの隙間を通って、小矢印のように、室内空気が吹出し風路２８０に流れ込む。
【０２２５】
実施例６の空気調和機でも、冷房運転時は図３８、図３９、図４０（ｂ）のように、実施例１の図１１（ａ）、図１１（ｂ）、図９（ｂ）と同様に、回動軸２９ａと溝部２４ｃの間隙Ｇｐを通って、小矢印のように、実施例１より多くの室内空気が吹出し風路２８０に流れ込み、冷たい吹出し空気と上側風向板２９の間を流れて、上側風向板２９が過度に冷やされず、結露が少なくなって、結露水で室内を汚すのを防ぐ。
【０２２６】
穏やかな暖房を行う場合は、上側風向板２９の回動位置を図４１（ａ）にするので、暖かい吹出し空気が回動軸２９ａと溝部２４ｃの間隙Ｇｐを通って、上側風向板２９の上面側（図４１（ａ）では左側）に漏れて小さなショートサーキットが起きる。しかし、回動軸２９ａと溝部２４ｃの間隙Ｇｐを形成すべく溝側間隙形成部２４ｑが設けられ、間隙Ｇｐが小さくなっているので、漏れ出る吹出し空気の量は少なく、暖房運転に支障がでるほどではない。
【０２２７】
この場合、大部分の吹出し空気は遮風面２９１ｅにさえぎられて下向きに方向を変え、床面近く暖める。穏やかな暖房を望み、床面近くを是が非でも暖めなければならない場合でもないので、この状態での暖房ニーズに対して十分適応した暖房運転になる。
【０２２８】
強力な暖房を望む場合は、上側風向板２９を図４１（ｂ）の位置にし、回動軸２９ａと溝部２４ｃの間隙Ｇｐをほとんどゼロにする。こうすることで、回動軸２９ａと溝部２４ｃの隙間を通って吹出し風路２８０ａから上側風向板２９の左側に漏れ出る吹出し空気の量をほとんどゼロにすることができ、吹出し空気のほぼ全量を床面近くに送り、室内を強力に暖房することができる。
【０２２９】
このように、上側風向板２９を下に向けるほど回動軸２９ａと溝部２４ｃの間隙Ｇｐを小さくすることで、冷房運転時は多くの室内空気が吹出し風路２８０に流れ込んで、上側風向板２９が直接冷たい吹出し空気に触れないように、上側風向板２９と吹出し空気との間を効果的に隔離し、暖房運転時は上側風向板２９を回動して、吹出し空気を下に向けるほど、吹出し空気の漏れが少なくなって、効果的に吹出し空気を床面近くまで送ることができる。
【０２３０】
このように、実施例の空気調和機は、前記溝部の内面に突起部を設け、該突起部と回動軸の軸側間隙形成部とを当接可能に構成する。
【０２３１】
これにより、冷房運転時は回動軸と溝部の間隙を通って、室内空気が吹出し風路に流れ込み、冷たい吹出し空気と上側風向板の間を流れて、上側風向板が過度に冷やされず、結露が少なくなって、結露水で室内を汚すのを防ぐ。
【０２３２】
穏やかな暖房を行う場合は、上側風向板の回動位置を変え、暖かい吹出し空気が回動軸と溝部の間隙を通って、上側風向板の上面側（反吹出し風路側）に漏れて小さなショートサーキットが起きる。しかし、回動軸と溝部の間隙を形成すべく溝側間隙形成部が設けられ、間隙が小さくなっているので、漏れ出る吹出し空気の量は少なく、暖房運転に支障がでるほどではない。
【０２３３】
この場合、大部分の吹出し空気は遮風面にさえぎられて下向きに方向を変え、床面近く暖める。穏やかな暖房を望み、床面近くを是が非でも暖めなければならない場合でもないので、この状態での暖房ニーズに対して十分適応した暖房運転になる。
【０２３４】
強力な暖房を望む場合は、上側風向板を一番下向きの位置にし、回動軸と溝部の間隙をほとんどゼロにする。こうすることで、回動軸と溝部の隙間を通って吹出し風路から上側風向板の左側に漏れ出る吹出し空気の量をほとんどゼロにすることができ、吹出し空気のほぼ全量を床面近くに送り、室内を強力に暖房することができる。
【０２３５】
このため、上側風向板の回動位置に応じて回動軸と溝部の隙間を適切に設定して、結露の抑制と、暖房効果を両立できる空気調和機を提供することができる。
【０２３６】
以上説明したように、請求項１記載の空気調和機によれば、空気吹出し口に吹出し空気の風向を上下に偏向する複数の上下風向板を有する空気調和機において、前記複数の上下風向板のうちの上側風向板が、吹出し風路の上面との間に気流が流れないように上下方向に回動自在に備えられ且つ、水平方向付近への送風状態において吹出し風路の上面の延長面を形成する面と、この延長面を形成する面の気流の下流側の端部から上方向にくの字状に折れ曲がるように形成された面とから構成され、水平方向付近への送風状態において、上記くの字状に折れ曲がった部分までの面と下側風向板の気流の下流側の端部までの面との間に流路を形成し、下方向への送風状態において前記吹出し風路の上面の延長面を形成する面及びこの面の端部からくの字状に折れ曲がるように形成された面と、下側風向板の気流の下流側の端部までの面との間に流路を形成する構成にした。これにより、水平方向及び下方向への送風のいずれにおいても送風の気流の指向性または送風性能を充分確保して、空調能力を充分発揮できる空気調和機を提供することができる。
【０２３７】
尚、上記延長面を形成する面の気流の下流側の端部から上方向にくの字状に折れ曲がるように形成された面が室内機の前面下部の前方を覆うように形成されることにより、室内機の外観を向上することができる。また、上記上側風向板のくの字状に折れ曲がった部分角度が１１４から１５６度の範囲であると、水平方向および下方向への送風性能上好ましい。
【０２３８】
これにより、空気調和機の運転停止時に、上側風向板、下側風向板を最も上に向けてから停止させることで、空気吹出し口や上側風向板の回動軸から始まる遮風面を下側風向板で隠して、室内機の外観を凹凸の少ない滑らかな形状にすることができる。さらには、室内の居住空間の状態を検知する人センサーを備える場合は、上側風向板で隠すことができる。この場合、人センサーの方向にほぼ垂直となる上側風向板の風向面で人センサーを隠すことができ、無駄な空間を省くことができる。また、人センサーの方向を床面から３０度から５０度の範囲にし、前ケーシングの傾斜角を１５度から２５度の範囲、吹出し面（空気吹出し口開口端の仮想面）の傾斜を１０度から２５度の範囲にすることができ、適正な吹出し風路、吹出し面、人センサーの配置を実現できる。
【０２３９】
なお、基準線からの風向面の最大高さの位置に該基準線が貼る角が１１４度未満では人センサーの方向が上を向き過ぎて空気調和機に近い位置にいる人の情報を十分に取得できない恐れが強くなり、室内の制御が適正に行われなくなるなどの障害が生じたり、運転停止で上側風向板を閉じて収納する時に、下側風向板との距離が開きすぎて、無駄なスペースとなり、空間の使用効率が低下する。
【０２４０】
また、無駄なスペースを解消しようとすると、吹出し面の傾斜が小さくなり、冷房時に若干上向きの風向で室内の広範囲に冷風を届けることが困難になり、更には、通常冷房時の上側風向板の位置と運転停止時の上側風向板の収納位置とが近づき過ぎて、冷房運転時に涼しい吹出し空気を室内の遠方に送る風向調整ができなくなるなど、冷房時の若干上向きの風向制御が困難になる恐れが強くなる。
【０２４１】
また、上側風向板の風向面と下側風向板をほぼ平行にして、吹出し空気を縮流、増速して室内の遠方まで送るときに、吹出し空気の流れが縮流から平行流に変化する部分で流れの方向が変ることから、この部の方向変化が大きく（貼る角が小さく）なると渦が生じやすくなり、騒音の発生や、風量の減少などが起こり、上質で効果的な空気調和を行うことが困難になる。
【０２４２】
これらを解消するために、上側風向板、人センサー取付け部周りに余分な空間が必要となって空間の使用効率が低下して、容積の拡大を招き、資源の節約に反し、流通のコストなどのアップに繋がる。
【０２４３】
他方、該貼る角が１５６度を超えると、逆に、人センサーの方向が下を向き過ぎて空気調和機から遠い位置にいる人の情報を十分に取得できない恐れが強くなり、前述と同様に、室内の制御が適正に行われなくなるなどの障害が生じたり、運転停止で上側風向板を閉じて収納する時に、下側風向板との距離が近すぎて、空気調和機の下側風向板から上側風向板に掛けての外観をスムーズに連続させることが困難になり、外観を損ねる。
【０２４４】
また、外観をスムーズに連続させようとすると吹出し面の傾斜が大きくなり、暖房の運転開始時に風向を十分下向きにすることが困難になり、更に、空気調和機の運転時の上側風向板の位置からこれを収納する位置に収めるまでの角度が大きくなり、上側風向板と干渉しない領域を広く取る必要が出て、空間の利用効率が低下する。更にまた、上側風向板が平板に近づくため剛性が減少し、上側風向板を略水平に保持したときの変形が大きくなり、高級感が失われ、製品のイメージダウンを招き、外観の品質が低下する。
【０２４５】
これらを解消するためには、該基準線が貼る角が小さすぎる場合と同様に、上側風向板、人センサー取付け部周りに余分な空間が必要となって空間の使用効率が低下して、容積の拡大を招き、資源の節約に反し、流通のコストなどのアップに繋がる。
【０２４６】
このため、吹出し口周りを適正な構成にして、尚且つ、停止時には室内機の外観を凹凸の少ない滑らかな形状にし、人センサーを上側風向板で隠して室内の穏やかな雰囲気を乱さない空気調和機を得ることができる。
【０２４７】
また、請求項２記載の空気調和機によれば、冷房運転時に上側風向板の回動軸と下パネルの溝部との隙間から室内空気が吹出し風路に流入するように、上側風向板の傾きを制御する。
【０２４８】
これにより、上側風向板が冷たい吹出し空気に直接触れるのが防止され、上側風向板の温度が維持され、上側風向板の結露が抑制され、結露の室内への滴下なども抑制されて、室内を汚す恐れが少なくなる。
【０２４９】
このため、結露が少なく、室内を汚す恐れが少ない空気調和機を得ることができる。
【０２５０】
また、請求項３記載の空気調和機によれば、暖房運転時の上側風向板の回動範囲で、上側風向板の回動軸と下パネルの溝部の隙間が最小となる上側風向板の回動位置における暖房時最小間隙が、冷房運転時の上側風向板の回動範囲で、上側風向板の回動軸と下パネルの溝部の隙間が最小となる上側風向板の回動位置における冷房時最小間隙より小さい。
【０２５１】
これにより、暖房運転時に、吹出し空気が上側風向板の回動軸と下パネルの溝部の隙間を通って室内に漏れ出る量が減少し、ショートサーキットを抑制し、且つ、漏れ出る吹出し空気の量が少なくなるので、下向きの吹出し空気を効率よく床面近くまで届けることができるようになる。
【０２５２】
このため、暖房時のショートサーキットが抑制され、吹出し空気を床面近くまで届けることができる空気調和機を得ることができる。
【０２５３】
また、請求項４記載の空気調和機によれば、冷房の最大能力運転時の前記上側風向板の回動位置から、停止時の上側風向板を閉じた状態までの該上側風向板の回動角度が１８から５１度である。
【０２５４】
これにより、請求項１の空気調和機と同様に、空気調和機の運転停止時に、上側風向板、下側風向板を最も上に向けてから停止させることで、空気吹出し口や上側風向板の回動軸から始まる遮風面を下側風向板で隠して、室内機の外観を凹凸の少ない滑らかな形状にすることができると共に、室内の居住空間の状態を検知すべく、空気調和機に搭載された人センサーを上側風向板で隠すことで、見られていることへの抵抗感を払拭して室内の穏やかな雰囲気を乱すことが無い。
【０２５５】
この場合も、請求項２の空気調和機と同様に、適正な吹出し風路、吹出し面、人センサーの配置を実現できる。
【０２５６】
なお、該回動角が５１度を超えると、空気調和機の運転時の上側風向板の位置からこれを収納する位置に収めるまでの角度が大きくなり、上側風向板と干渉しない領域を広く取る必要が出て、空間の利用効率が低下し、また、運転停止で上側風向板を閉じて収納する時に、下側風向板との距離が近すぎて、空気調和機の下側風向板から上側風向板に掛けての外観をスムーズに連続させることが困難になり、外観を損ねる。更に、外観をスムーズに連続させようとすると吹出し面の傾斜が大きくなり、暖房の運転開始時に風向を十分下向きにすることが困難になる。
【０２５７】
また、冷房の最大能力運転時には圧縮機を冷房の最高回転数で運転すると共に、送風量を最大にすべく、風向板の抵抗が最も少ない状態にする。この状態は、吹出し風路から出た吹出し空気をそのままの方向に何の制約も加えずに吹出させることで実現できる。このため、上側風向板の遮風面が前側ケーシングの傾斜角の延長上に位置するように上側風向板の回動軸の位置と回動角度を選定する。
【０２５８】
他方、室内の情報を得るための人センサーなどのセンサー類を搭載するセンサー面の空気調和機の横方向から見た床面に対する傾斜角度（センサー面角）はセンサーの方向（センサーの感度が最大となる方向）を空気調和機の横方向から見た床面との角度の補角となり、前述のように４０度から６０度（センサーの方向を空気調和機の横方向から見た角度としては３０度から５０度）となる。
【０２５９】
運転停止時には、このセンサー面を上側風向板の風向面で覆うことで、室内を落ち着いた雰囲気にすることができる。この状態から冷房の最大能力運転時の状態までの上側風向板の回動角度を過大に設定すると、遮風面の傾斜角が大きくなって、必然的に前ケーシングの傾斜角を大きくすることになり、吹出し空気の方向がより下向きになって、冷房時の若干上向きで室内を広範囲で冷房する利用法が困難になる。
【０２６０】
また、遮風面が軸角基線から過度に乖離した場合も、回動角が大きくなるが、この場合、回動軸と前ケーシングの間を大きくとらなければならなくなり、無駄な空間が増える。更には、前ケーシングの傾斜角とセンサー面角を維持して該回動角を過度に大きくすると、前述した上側風向板の最高点の位置に基準線が貼る角大きくなり、上側風向板が平板に近づくため剛性が減少し、上側風向板を略水平に保持したときの変形が大きくなり、高級感が失われ、製品のイメージダウンを招き、外観の品質が低下する。
【０２６１】
他方、該回動角が１８度未満では、通常冷房時の上側風向板の位置と運転停止時の上側風向板の収納位置とが近づき過ぎて、冷房運転時に涼しい吹出し空気を室内の遠方に送る風向調整ができなくなるなど、冷房時の若干上向きの風向制御が困難になる恐れが強くなる。
【０２６２】
また、運転停止で上側風向板を閉じて収納する時に、下側風向板との距離が開きすぎて、無駄なスペースとなり、空間の使用効率が低下し、無駄なスペースを解消しようとすると、吹出し面の傾斜が小さくなり、冷房時に若干上向きの風向で室内の広範囲に冷風を届けることが困難になる。
【０２６３】
また、運転停止時の、センサー面を上側風向板の風向面で覆った状態から冷房の最大能力運転時の状態までの上側風向板の回動角度を過小に設定すると、遮風面の傾斜角が小さくなって、必然的に前ケーシングの傾斜角を小さくすることになり、吹出し空気の方向がより上向きになって、暖房時に吹出し空気を下向きにして床面まで届けるのが困難になる。
【０２６４】
また、遮風面が軸角基線に接近し過ぎる場合も、回動角が小さくなるが、この場合、回動軸の寸法を小さくしなければならなくなり、回動軸を十分な強度にすることが困難になって、上側風向板の動作が円滑に行われなくなったり、最悪の場合、破損に至ることも考えられ、空気調和機の信頼性が大幅に低下する。
【０２６５】
また、上側風向板の風向面と下側風向板をほぼ平行にして、吹出し空気を縮流、増速して室内の遠方まで送るときに、吹出し空気の流れが縮流から平行流に変化する部分で流れの方向が変ることから、この部の方向変化が大きく（貼る角が小さく）なると渦が生じやすくなり、騒音の発生や、風量の減少などが起こり、上質で効果的な空気調和を行うことが困難になる。
【０２６６】
このため、吹出し口周りを適正な構成にして、尚且つ、停止時には室内機の外観を凹凸の少ない滑らかな形状にし、人センサーを上側風向板で隠して室内の穏やかな雰囲気を乱さない空気調和機を得ることができる。
【０２６７】
また、請求項５記載の空気調和機によれば、前記遮風面の長さとなる前記回動軸中心と前記最高点を結ぶ線の長さが、該回動軸に垂直な面内の吹出し風路の高さの４０から６０％である。
【０２６８】
これにより、暖房運転時に上側風向板を最大限下向きに回動し、前ケーシングの傾斜方向に吹出されてくる吹出し空気の半分近くを遮風面で遮り、下方に転回させ、遮風面に続く風向面と下側風向板とで吹出し空気を縮流し、増速して下向きに送り出すことができる。
【０２６９】
この場合、該遮風面の長さが該吹出し風路の高さの４０％未満では吹出し空気の下方への転回が不十分となり、また、遮風面に続く風向面と下側風向板とによる縮流や増速も不十分となって、暖房運転開始時の効果的な暖房が困難になる。
【０２７０】
他方、遮風面の長さが該吹出し風路の高さの６０％を超えると、吹出し空気の下方への転回は支障なく行われるが、続いて行われる風向面と下側風向板とによる縮流が過度になり、吹出し空気の量が減少し、吹出し空気が床面まで届かなくなる恐れが増してくる。
【０２７１】
このため、暖房運転開始時に吹出し空気が床面まで届いて、優れた暖房効果を発揮する空気調和機を得ることができる。
【０２７２】
また、請求項６記載の空気調和機によれば、前記上側風向板の通気開口の反吹出し風路側に、通気開口を覆うように開口カバーを設けた。
【０２７３】
これにより、暖房運転時など、上側風向板を下向きにしたときに、通気開口が吹出し空気の流路内に入っても、通気開口を通って遮風面の反吹出し風路側に漏れ出た吹出し空気は開口カバーで下方に偏向され、上側風向板の反吹出し風路側に沿って下向きに流れ、上側風向板の先端で吹出し風路側の吹出し空気本流と合流し、床面近くを効果的に暖める。
【０２７４】
このため、暖房時にショートサーキットを防ぎ、吹出し空気を効果的に下向きにする空気調和機を得ることができる。
【０２７５】
また、請求項７記載の空気調和機によれば、前記間隙形成部を一箇所に設ける。
【０２７６】
これにより、該間隙形成部での隙間を調節することで、冷房時、暖房時の漏れ空気の量を適切な量に管理する。具体的には、上側風向板が冷房運転の位置であるときは適切な量の漏れ空気が吹出し風路側に漏れるようにし、吹出し空気をできるだけ下向きに送りたい暖房運転の立ち上がり時（室温が低く、急速に床近くの温度を上げたい時）には、遮風面を溝部と前ケーシングとの接続部に当てる。
【０２７７】
これにより、吹出し空気が軸側間隙形成部、カバー側間隙形成部と溝部の間の隙間に流れるのを阻止され、遮風面に遮られて、吹出し空気の全部が下方に向かい、床面を効果的に暖める。
【０２７８】
このため、冷房時、暖房立ち上がり時ともに、漏れ量を適切にでき、結露を抑制し、暖房立ち上がり時に床面を効果的に暖房する空気調和機を得ることができる。
【０２７９】
また、請求項８記載の空気調和機によれば、前記溝部の、前記回動軸に垂直な断面が長円の一部をなす凹形状である。
【０２８０】
これにより、直進してくる冷たい吹出し空気から回動軸を確実に退避するように、回動軸の位置を前ケーシングから遠ざけるようにし、この時、回動軸と前ケーシング側の溝部の間にできるより広い隙間に、断熱性シートを貼り、この部の結露を抑制する。この場合、回動軸と溝部との間の隙間を大きくすることで、冷房運転時、この隙間から、上側風向板の上面の室内空気がより多く流れ込む。
【０２８１】
このように、冷房運転時、広くなった軸側間隙形成部、カバー側間隙形成部と溝部の間の隙間を通して、多くの室内空気が吹出し風路に流れ込む。この流れ込んだ上側風向板の上面の室内空気で上側風向板の遮風面、風向面が覆われ、大きな矢印で示す冷たい吹出し空気に直接触れることが無くなり、上側風向板の上面の温度が上がって、結露が少なくなる。
【０２８２】
このため、直進してくる冷たい吹出し空気から回動軸を確実に退避するように、溝部の断面形状を半長円形にし、回動軸の位置を前ケーシングから遠ざけるようにする。この時、回動軸と前ケーシング側の溝部の間に、より広い隙間ができるが、この隙間に、次に説明するように、断熱性シートを貼る。
【０２８３】
これは、冷たい吹出し空気に直接触れている前側ケーシングに近い部分の溝部は冷やされて低温になるため、軸側間隙形成部、カバー側間隙形成部と溝部の間の隙間から流れ込んだ上側風向板の上面の室内空気の水分が結露し、室内の湿度が高いときに、結露した水分が落下する恐れがあり、これを防ぐため、断面を半長円形にした溝部の前ケーシングに近い部分に断熱性シートを貼り、結露が抑制されるようにしているためである。
【０２８４】
このため、前側ケーシングの最後流部の結露が抑制され、室内を汚す恐れが少ない空気調和機を得ることができる。
【０２８５】
また、請求項９記載の空気調和機によれば、前記溝部の内面に突起部を設け、該突起部と回動軸の軸側間隙形成部とを当接可能に構成する。
【０２８６】
これにより、冷房運転時は回動軸と溝部の間隙を通って、室内空気が吹出し風路に流れ込み、冷たい吹出し空気と上側風向板の間を流れて、上側風向板が過度に冷やされず、結露が少なくなって、結露水で室内を汚すのを防ぐ。
【０２８７】
穏やかな暖房を行う場合は、上側風向板の回動位置を変え、暖かい吹出し空気が回動軸と溝部の間隙を通って、上側風向板の上面側（反吹出し風路側）に漏れて小さなショートサーキットが起きる。しかし、回動軸と溝部の間隙を形成すべく溝側間隙形成部が設けられ、間隙が小さくなっているので、漏れ出る吹出し空気の量は少なく、暖房運転に支障がでるほどではない。
【０２８８】
この場合、大部分の吹出し空気は遮風面にさえぎられて下向きに方向を変え、床面近く暖める。穏やかな暖房を望み、床面近くを是が非でも暖めなければならない場合でもないので、この状態での暖房ニーズに対して十分適応した暖房運転になる。
【０２８９】
強力な暖房を望む場合は、上側風向板を一番下向きの位置にし、回動軸と溝部の間隙をほとんどゼロにする。こうすることで、回動軸と溝部の隙間を通って吹出し風路から上側風向板の左側に漏れ出る吹出し空気の量をほとんどゼロにすることができ、吹出し空気のほぼ全量を床面近くに送り、室内を強力に暖房することができる。
【０２９０】
このため、上側風向板の回動位置に応じて回動軸と溝部の隙間を適切に設定して、結露の抑制と、暖房効果を両立できる空気調和機を得ることができる。
【符号の説明】
【０２９１】
１  空気調和機
２  室内機
５  リモコン
６  室外機
８  接続配管
２０  筐体
２１  筐体ベース
２２  ユニット枠
２３  化粧枠
２４  下パネル
２４ａ、２４ｂ  支持部
２４ｃ  溝部
２４ｄ  支持片
２４ｅ  支軸
２４ｆ  下パネルサポート
２４ｇ  下パネル係合爪
２４ｈ  上固定部
２４ｊ  開口カバー収納部
２４ｋ  外観構成部
２４ｍ  下端部
２４ｐ  断熱性シート
２４ｑ  溝側間隙形成部
２４ｒ  結露抑制シート
２５  化粧パネル
２６  支持ブッシュ
２７  上側空気吸込み口
２７′  前側空気吸込み口
２８  空気吹出し口
２９  上側風向板
２９ａ  回動軸
２９ｂ  間隙保持部
２９ｃ  中空部
２９ｄ  駆動力伝達部
２９ｅ  支持軸端
２９′  下側風向板
３３  室内熱交換器
３５  露受皿
３５ａ  下パネル係合孔
３５ｂ  上受座
３７  ドレン配管
２３０  空気吸込み部
２３１  上側フィルター
２３１′  前側フィルター
２５１  吸込みパネル
２８０  吹出し風路
２８０ａ  前ケーシング
２８０ｂ  後ケーシング
２８５  左右風向板、
２８７  駆動モータ
２８７ａ  駆動軸
２９１  風向片
２９１ａ  回動軸部
２９１ｂ  軸側間隙形成部
２９１ｃ  被伝達部（中空部）
２９１ｄ  風向面
２９１ｅ  遮風面
２９１ｆ  平坦部
２９１ｇ  半円筒部
２９１ｈ  通気開口
２９１ｊ  開口カバー
２９２  右伝達軸カバー
２９２ｂ  カバー側間隙形成部
２９３  左軸カバー
２９６  伝達部材
２９７  支持部材
２９８  軸カバー固定ネジ
３１１  送風ファン
３１３  送風モータ
３９０  センサー取付基板
３９１  光源センサー
３９２  音センサー
３９３  赤外線センサー
３９５  送信部
３９６  受信部
３９７  表示部
９０２  室
９０２ａ  床面
９０２ｂ  広い部屋の壁面
９０２ｃ  狭い部屋の壁面
ＢＬ  基準線
Ｂｔ  突合せ部
Ｄｈ  吹出し風路高さ
ＤＬ  風向面代表直線
ＥＣＬ  前ケーシングの延長線
ＥＪＬ  軸角基線の延長線
Ｅｙ  空気調和機を覗込む人の目
ＦＳ  センサー面
Ｇｐ  間隙
Ｈ  風向板高さ
ＨＬ  水平線
ＪＬ  軸角基線
Ｌ  基準線長さ
Ｌｐ  通路の長さ
ＯＬ  停止時の風向板外形線
Ｐ  風向板最高点
ＳＬ  遮風面代表直線
Ｓｎ  軸角基線長さ（遮風面長さ）
α  前ケーシング角
β  吹出し面収納角
γ  センサー面角
γ１  主に広い部屋用のセンサー面の角
γ２  主に狭い部屋用のセンサー面の角
δ  遮風面−軸角
ε  吹出し面−軸収納角
ζ  風向面−軸角＝形成角
η  冷房から収納までの回動角
θｓ  軸カバーが室内に貼る角
ι  風向面収納角
κ  前ケーシング−遮風面角
λ  センサーの方向
λ１  主に広い部屋用のセンサーの方向
λ２  主に狭い部屋用のセンサーの方向
μ１  主に広い部屋用のセンサーの実用感知範囲
μ２  主に狭い部屋用のセンサーの実用感知範囲
ν  風向板最高点に基準線が貼る角
【図１】
0005750364.tif 000002
【図２】
0005750364.tif 000003
【図３】
0005750364.tif 000004
【図４】
0005750364.tif 000005
【図５】
0005750364.tif 000006
【図６】
0005750364.tif 000007
【図７】
0005750364.tif 000008
【図８】
0005750364.tif 000009
【図９】
0005750364.tif 000010
【図１０】
0005750364.tif 000011
【図１１】
0005750364.tif 000012
【図１２】
0005750364.tif 000013
【図１３】
0005750364.tif 000014
【図１４】
0005750364.tif 000015
【図１５】
0005750364.tif 000016
【図１６】
0005750364.tif 000017
【図１７】
0005750364.tif 000018
【図１８】
0005750364.tif 000019
【図１９】
0005750364.tif 000020
【図２０】
0005750364.tif 000021
【図２１】
0005750364.tif 000022
【図２２】
0005750364.tif 000023
【図２３】
0005750364.tif 000024
【図２４】
0005750364.tif 000025
【図２５】
0005750364.tif 000026
【図２６】
0005750364.tif 000027
【図２７】
0005750364.tif 000028
【図２８】
0005750364.tif 000029
【図２９】
0005750364.tif 000030
【図３０】
0005750364.tif 000031
【図３１】
0005750364.tif 000032
【図３２】
0005750364.tif 000033
【図３３】
0005750364.tif 000034
【図３４】
0005750364.tif 000035
【図３５】
0005750364.tif 000036
【図３６】
0005750364.tif 000037
【図３７】
0005750364.tif 000038
【図３８】
0005750364.tif 000039
【図３９】
0005750364.tif 000040
【図４０】
0005750364.tif 000041
【図４１】
0005750364.tif 000042